(57)【要約】  本発明の実施形態は、ダウンリンク制御情報DCI伝送方法、ネットワークデバイス、およびユーザ機器を提供する。方法は、次のステップを含む。ネットワークデバイスが第1のDCIフォーマットでDCIを伝送し、DCIがマルチキャスト・トラフィック・チャネルを搬送する物理ダウンリンク共有チャネルPDSCHをスケジューリングするために使用されるとき、ネットワークデバイスが、第1の無線ネットワーク一時識別子RNTIを使用することによって、DCIがマルチキャスト・トラフィック・チャネルを搬送するPDSCHをスケジューリングするために使用されること、および第1の情報がDCI内で示され、第2の情報がDCI内で示されないことを示し、DCIがユーザ機器固有UE固有のPDSCHをスケジューリングするために使用されるとき、ネットワークデバイスが、第2のRNTIを使用することによって、DCIがUE固有のPDSCHをスケジューリングするために使用されること、および第1の情報がDCI内で示されず、第2の情報がDCI内で示されることを示す。この出願では、MTCHの構成情報が変化することを示す指示は、DCIにビットを追加することなくDCI内に実装され、それによって、制御チャネル伝送性能が改善される。
2020504578.tif 000002
【特許請求の範囲】
【請求項１】
ダウンリンク制御情報DCI伝送方法であって、
ネットワークデバイスにより、第1のDCIフォーマットでDCIを伝送するステップと、
前記DCIがマルチキャスト・トラフィック・チャネルを搬送する物理ダウンリンク共有チャネルPDSCHをスケジューリングするために使用されるとき、前記ネットワークデバイスにより、第1の無線ネットワーク一時識別子RNTIを使用することによって、前記DCIが前記マルチキャスト・トラフィック・チャネルを搬送する前記PDSCHをスケジューリングするために使用されることを示すステップであって、第1の情報が前記DCI内で示され、第2の情報が前記DCI内で示されない、ステップと、
前記DCIがユーザ機器固有UE固有のPDSCHをスケジューリングするために使用されるとき、前記ネットワークデバイスにより、第2のRNTIを使用することによって、前記DCIが前記UE固有のPDSCHをスケジューリングするために使用されることを示すステップであって、前記第1の情報が前記DCI内で示されず、前記第2の情報が前記DCI内で示される、ステップと、
を備える方法。
【請求項２】
前記DCIがランダムアクセス応答メッセージを搬送するPDSCHをスケジューリングするために使用されるとき、前記ネットワークデバイスにより、第3のRNTIを使用することによって、前記DCIが前記ランダムアクセス応答メッセージを搬送する前記PDSCHをスケジューリングするために使用されることを示すステップであって、前記第1の情報も前記第2の情報も前記DCI内で示されない、ステップをさらに備える、請求項1に記載の方法。
【請求項３】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用され、または
前記第1の情報が第3の情報および第4の情報のみを備え、前記第3の情報のサイズが1ビットであり、前記第4の情報のサイズが1ビットであり、前記第3の情報が、次の変更期間内で前記マルチキャスト・トラフィック・チャネルの構成が変化するかどうかを示すために使用され、前記第4の情報が、前記次の変更期間内で前記マルチキャスト・トラフィック・チャネルにおいて新しいサービスが始まるかどうかを示すために使用され、または
前記第1の情報のサイズが2ビットであり、前記第1の情報の前記2ビットが、次の変更期間内で前記マルチキャスト・トラフィック・チャネルの構成が変化するかどうか、および前記次の変更期間内で前記マルチキャスト・トラフィック・チャネルにおいて新しいサービスが始まるかどうかを一緒に示すために使用される、請求項1または2に記載の方法。
【請求項４】
前記DCIが第1のフィールドまたは第2のフィールドを備え、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えず、
前記第1のフィールドが前記第1の情報を示すために使用され、前記第2のフィールドが前記第2の情報を示すために使用される、請求項3に記載の方法。
【請求項５】
前記第1のフィールドに備えられたビットの前記DCI内のビット位置が、前記第2のフィールドに備えられたビットの前記DCI内のビット位置と同じである、請求項4に記載の方法。
【請求項６】
前記第1の情報が前記第3の情報および前記第4の情報のみを備えるとき、前記第1のフィールドが第3のフィールドおよび第4のフィールドを備え、前記第3のフィールドが前記第3の情報を示すために使用され、前記第4のフィールドが前記第4の情報を示すために使用される、請求項4または5に記載の方法。
【請求項７】
前記DCIが第5のフィールドを備え、
前記DCIがマルチキャスト・トラフィック・チャネルを搬送するPDSCHをスケジューリングするために使用されるとき、前記第5のフィールドが前記第1の情報を示すために使用され、または
前記DCIがUE固有のPDSCHをスケジューリングするために使用されるとき、前記第5のフィールドが前記第2の情報を示すために使用され、または
前記DCIがランダムアクセス応答メッセージを搬送するPDSCHをスケジューリングするために使用されるとき、前記第5のフィールドのビットが予約ビットである、請求項2または3に記載の方法。
【請求項８】
前記第2の情報がハイブリッド自動再送要求肯定応答リソースオフセットHARQ-ACK resource offsetであり、または
前記第2の情報が新しいデータインジケータNDIであり、または
前記第2の情報が伝送電力制御TPCであり、または
前記第2の情報がハイブリッド自動再送要求プロセス番号HARQ process numberである、請求項7に記載の方法。
【請求項９】
前記第5のフィールドが前記第2の情報を示すために使用されるフィールドである、請求項8に記載の方法。
【請求項１０】
ダウンリンク制御情報DCI伝送方法であって、
ユーザ機器により、第1のDCIフォーマットでDCIを受信するステップであって、
前記受信されたDCIの巡回冗長符号CRCが第1の無線ネットワーク一時識別子RNTIを使用することによってスクランブルされているとき、前記DCIがマルチキャスト・トラフィック・チャネルを搬送する物理ダウンリンク共有チャネルPDSCHをスケジューリングするために使用され、第1の情報が前記DCI内で示され、第2の情報が前記DCI内で示されず、
前記受信されたDCIの前記CRCが第2のRNTIを使用することによってスクランブルされているとき、前記DCIがユーザ機器固有UE固有のPDSCHをスケジューリングするために使用され、前記第1の情報が前記DCI内で示されず、前記第2の情報が前記DCI内で示される、ステップを備える方法。
【請求項１１】
前記受信されたDCIの前記CRCが第3のRNTIを使用することによってスクランブルされているとき、前記DCIがランダムアクセス応答メッセージを搬送するPDSCHをスケジューリングするために使用され、前記第1の情報も前記第2の情報も前記DCI内で示されない、請求項10に記載の方法。
【請求項１２】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用され、または
前記第1の情報が第3の情報および第4の情報のみを備え、前記第3の情報のサイズが1ビットであり、前記第4の情報のサイズが1ビットであり、前記第3の情報が、次の変更期間内で前記マルチキャスト・トラフィック・チャネルの構成が変化するかどうかを示すために使用され、前記第4の情報が、前記次の変更期間内で前記マルチキャスト・トラフィック・チャネルにおいて新しいサービスが始まるかどうかを示すために使用され、または
前記第1の情報のサイズが2ビットであり、前記第1の情報の前記2ビットが、次の変更期間内で前記マルチキャスト・トラフィック・チャネルの構成が変化するかどうか、および前記次の変更期間内で前記マルチキャスト・トラフィック・チャネルにおいて新しいサービスが始まるかどうかを一緒に示すために使用される、請求項10または11に記載の方法。
【請求項１３】
前記DCIが第1のフィールドまたは第2のフィールドを備え、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えず、
前記第1のフィールドが前記第1の情報を示すために使用され、前記第2のフィールドが前記第2の情報を示すために使用される、請求項12に記載の方法。
【請求項１４】
前記第1のフィールドに備えられたビットの前記DCI内のビット位置が、前記第2のフィールドに備えられたビットの前記DCI内のビット位置と同じである、請求項13に記載の方法。
【請求項１５】
前記第1の情報が前記第3の情報および前記第4の情報のみを備えるとき、前記第1のフィールドが第3のフィールドおよび第4のフィールドを備え、前記第3のフィールドが前記第3の情報を示すために使用され、前記第4のフィールドが前記第4の情報を示すために使用される、請求項13または14に記載の方法。
【請求項１６】
前記DCIが第5のフィールドを備え、
前記DCIがマルチキャスト・トラフィック・チャネルを搬送するPDSCHをスケジューリングするために使用されるとき、前記第5のフィールドが前記第1の情報を示すために使用され、または
前記DCIがUE固有のPDSCHをスケジューリングするために使用されるとき、前記第5のフィールドが前記第2の情報を示すために使用され、または
前記DCIがランダムアクセス応答メッセージを搬送するPDSCHをスケジューリングするために使用されるとき、前記第5のフィールドのビットが予約ビットである、請求項11または12に記載の方法。
【請求項１７】
前記第2の情報がハイブリッド自動再送要求肯定応答リソースオフセットHARQ-ACK resource offsetであり、または
前記第2の情報が新しいデータインジケータNDIであり、または
前記第2の情報が伝送電力制御TPCであり、または
前記第2の情報がハイブリッド自動再送要求プロセス番号HARQ process numberである、請求項16に記載の方法。
【請求項１８】
前記第5のフィールドが前記第2の情報を示すために使用されるフィールドである、請求項17に記載の方法。
【請求項１９】
ネットワークデバイスであって、プロセッサおよびトランシーバを備え、前記トランシーバが前記プロセッサに通信可能に接続され、
前記トランシーバが、第1のDCIフォーマットでDCIを伝送するように構成され、
前記プロセッサが、前記DCIがマルチキャスト・トラフィック・チャネルを搬送する物理ダウンリンク共有チャネルPDSCHをスケジューリングするために使用されるとき、第1の無線ネットワーク一時識別子RNTIを使用することによって、前記DCIが前記マルチキャスト・トラフィック・チャネルを搬送する前記PDSCHをスケジューリングするために使用されることを示すように構成され、第1の情報が前記DCI内で示され、第2の情報が前記DCI内で示されず、
前記プロセッサが、前記DCIがユーザ機器固有UE固有のPDSCHをスケジューリングするために使用されるとき、第2のRNTIを使用することによって、前記DCIが前記UE固有のPDSCHをスケジューリングするために使用されることを示すようにさらに構成され、前記第1の情報が前記DCI内で示されず、前記第2の情報が前記DCI内で示される、ネットワークデバイス。
【請求項２０】
前記プロセッサが、前記DCIがランダムアクセス応答メッセージを搬送するPDSCHをスケジューリングするために使用されるとき、第3のRNTIを使用することによって、前記DCIが前記ランダムアクセス応答メッセージを搬送する前記PDSCHをスケジューリングするために使用されることを示すようにさらに構成され、前記第1の情報も前記第2の情報も前記DCI内で示されない、請求項19に記載のネットワークデバイス。
【請求項２１】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用され、または
前記第1の情報が第3の情報および第4の情報のみを備え、前記第3の情報のサイズが1ビットであり、前記第4の情報のサイズが1ビットであり、前記第3の情報が、次の変更期間内で前記マルチキャスト・トラフィック・チャネルの構成が変化するかどうかを示すために使用され、前記第4の情報が、前記次の変更期間内で前記マルチキャスト・トラフィック・チャネルにおいて新しいサービスが始まるかどうかを示すために使用され、または
前記第1の情報のサイズが2ビットであり、前記第1の情報の前記2ビットが、次の変更期間内で前記マルチキャスト・トラフィック・チャネルの構成が変化するかどうか、および前記次の変更期間内で前記マルチキャスト・トラフィック・チャネルにおいて新しいサービスが始まるかどうかを一緒に示すために使用される、請求項19または20に記載のネットワークデバイス。
【請求項２２】
前記DCIが第1のフィールドまたは第2のフィールドを備え、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えず、
前記第1のフィールドが前記第1の情報を示すために使用され、前記第2のフィールドが前記第2の情報を示すために使用される、請求項21に記載のネットワークデバイス。
【請求項２３】
前記第1のフィールドに備えられたビットの前記DCI内のビット位置が、前記第2のフィールドに備えられたビットの前記DCI内のビット位置と同じである、請求項22に記載のネットワークデバイス。
【請求項２４】
前記第1の情報が前記第3の情報および前記第4の情報のみを備えるとき、前記第1のフィールドが第3のフィールドおよび第4のフィールドを備え、前記第3のフィールドが前記第3の情報を示すために使用され、前記第4のフィールドが前記第4の情報を示すために使用される、請求項22または23に記載のネットワークデバイス。
【請求項２５】
前記DCIが第5のフィールドを備え、
前記DCIがマルチキャスト・トラフィック・チャネルを搬送するPDSCHをスケジューリングするために使用されるとき、前記第5のフィールドが前記第1の情報を示すために使用され、または
前記DCIがUE固有のPDSCHをスケジューリングするために使用されるとき、前記第5のフィールドが前記第2の情報を示すために使用され、または
前記DCIがランダムアクセス応答メッセージを搬送するPDSCHをスケジューリングするために使用されるとき、前記第5のフィールドのビットが予約ビットである、請求項20または21に記載のネットワークデバイス。
【請求項２６】
前記第2の情報がハイブリッド自動再送要求肯定応答リソースオフセットHARQ-ACK resource offsetであり、または
前記第2の情報が新しいデータインジケータNDIであり、または
前記第2の情報が伝送電力制御TPCであり、または
前記第2の情報がハイブリッド自動再送要求プロセス番号HARQ process numberである、請求項25に記載のネットワークデバイス。
【請求項２７】
前記第5のフィールドが前記第2の情報を示すために使用されるフィールドである、請求項26に記載のネットワークデバイス。
【請求項２８】
ユーザ機器であって、プロセッサおよびトランシーバを備え、前記トランシーバが前記プロセッサに通信可能に接続され、
前記トランシーバが、第1のDCIフォーマットでDCIを受信するように構成され、
前記プロセッサが、前記受信されたDCIの巡回冗長符号CRCが第1の無線ネットワーク一時識別子RNTIを使用することによってスクランブルされているとき、前記DCIがマルチキャスト・トラフィック・チャネルを搬送する物理ダウンリンク共有チャネルPDSCHをスケジューリングするために使用されると判断するように構成され、第1の情報が前記DCI内で示され、第2の情報が前記DCI内で示されず、
前記プロセッサが、前記受信されたDCIの前記CRCが第2のRNTIを使用することによってスクランブルされているとき、前記DCIがユーザ機器固有UE固有のPDSCHをスケジューリングするために使用されると判断するようにさらに構成され、前記第1の情報が前記DCI内で示されず、前記第2の情報が前記DCI内で示される、ユーザ機器。
【請求項２９】
前記プロセッサが、前記受信されたDCIの前記CRCが第3のRNTIを使用することによってスクランブルされているとき、前記DCIがランダムアクセス応答メッセージを搬送するPDSCHをスケジューリングするために使用されると判断するようにさらに構成され、前記第1の情報も前記第2の情報も前記DCI内で示されない、
請求項28に記載のユーザ機器。
【請求項３０】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用され、または
前記第1の情報が第3の情報および第4の情報のみを備え、前記第3の情報のサイズが1ビットであり、前記第4の情報のサイズが1ビットであり、前記第3の情報が、次の変更期間内で前記マルチキャスト・トラフィック・チャネルの構成が変化するかどうかを示すために使用され、前記第4の情報が、前記次の変更期間内で前記マルチキャスト・トラフィック・チャネルにおいて新しいサービスが始まるかどうかを示すために使用され、または
前記第1の情報のサイズが2ビットであり、前記第1の情報の前記2ビットが、次の変更期間内で前記マルチキャスト・トラフィック・チャネルの構成が変化するかどうか、および前記次の変更期間内で前記マルチキャスト・トラフィック・チャネルにおいて新しいサービスが始まるかどうかを一緒に示すために使用される、請求項28または29に記載のユーザ機器。
【請求項３１】
前記DCIが第1のフィールドまたは第2のフィールドを備え、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えず、
前記第1のフィールドが前記第1の情報を示すために使用され、前記第2のフィールドが前記第2の情報を示すために使用される、請求項29に記載のユーザ機器。
【請求項３２】
前記第1のフィールドに備えられたビットの前記DCI内のビット位置が、前記第2のフィールドに備えられたビットの前記DCI内のビット位置と同じである、請求項31に記載のユーザ機器。
【請求項３３】
前記第1の情報が前記第3の情報および前記第4の情報のみを備えるとき、前記第1のフィールドが第3のフィールドおよび第4のフィールドを備え、前記第3のフィールドが前記第3の情報を示すために使用され、前記第4のフィールドが前記第4の情報を示すために使用される、請求項31または32に記載のユーザ機器。
【請求項３４】
前記DCIが第5のフィールドを備え、
前記DCIがマルチキャスト・トラフィック・チャネルを搬送するPDSCHをスケジューリングするために使用されるとき、前記第5のフィールドが前記第1の情報を示すために使用され、または
前記DCIがUE固有のPDSCHをスケジューリングするために使用されるとき、前記第5のフィールドが前記第2の情報を示すために使用され、または
前記DCIがランダムアクセス応答メッセージを搬送するPDSCHをスケジューリングするために使用されるとき、前記第5のフィールドのビットが予約ビットである、請求項29または30に記載のユーザ機器。
【請求項３５】
前記第2の情報がハイブリッド自動再送要求肯定応答リソースオフセットHARQ-ACK resource offsetであり、または
前記第2の情報が新しいデータインジケータNDIであり、または
前記第2の情報が伝送電力制御TPCであり、または
前記第2の情報がハイブリッド自動再送要求プロセス番号HARQ process numberである、請求項34に記載のユーザ機器。
【請求項３６】
前記第5のフィールドが前記第2の情報を示すために使用されるフィールドである、請求項35に記載のユーザ機器。
【発明の詳細な説明】
【技術分野】
【０００１】
この出願は、通信技術の分野、詳細には、ダウンリンク制御情報DCI伝送方法、ネットワークデバイス、およびユーザ機器に関する。
【背景技術】
【０００２】
モノのインターネット技術の急速な発展に伴い、大量の機械型通信デバイスがネットワークに配備されている。ネットワークは、通常、ソフトウェアアップグレードを要求する。そのようなソフトウェアアップグレードは、複数のユーザが同じデータを同時に受信することを要求する。モバイルネットワークリソースを効果的に使用するために、第3世代パートナーシッププロジェクト（3GPP、3rd Generation Partnership Project）は、マルチメディア・ブロードキャスト・マルチキャスト・サービス（Multimedia Broadcast Multicast Service、MBMS）を提案している。MBMSは、リソース共有機能を実装し、リソース利用を改善するために、1つのデータソースから複数のターゲットモバイル端末にデータを伝送するための技術である。既存のMBMSデータのために、ポイントツーマルチポイント（point to multipoint、PTM）伝送方式が使用されることが可能であり、PTM伝送方式では、マルチキャスト制御チャネル（Multicast Control Channel、MCCH）およびマルチキャスト・トラフィック・チャネル（Multicast Traffic Channel、MTCH）が使用される。実際の通信では、MTCHがスケジューリングされているとき、次の変更期間内でMTCHの構成が変化するかどうかを示す指示情報、および次の変更期間内で新しいサービス（new service）が始まるかどうかを示す指示情報が追加される必要がある。既存の技術的解決策では、これを実装するために、ダウンリンク制御情報（Downlink Control Information、DCI）に2ビットが追加される。具体的には、1ビットは、次の変更期間内でMTCHの構成が変化するかどうかを示すために使用され、他のビットは、次の変更期間内でMTCHにおいて新しいサービスが始まるかどうかを示すために使用される。しかしながら、これは、DCIのビットオーバーヘッドを増加させ、制御チャネル伝送性能を低下させる。
【発明の概要】
【課題を解決するための手段】
【０００３】
本出願の実施形態は、ダウンリンク制御情報DCI伝送方法、ネットワークデバイス、およびユーザ機器を提供する。このようにして、MTCHの構成情報が変化することを示す指示が、DCIにビットを追加することなくDCI内に実装され、それによって、制御チャネル伝送性能が改善される。
【０００４】
第1の態様によれば、本発明の一実施形態は、
ネットワークデバイスにより、第1のDCIフォーマットでDCIを伝送するステップと、DCIがマルチキャスト・トラフィック・チャネルを搬送する物理ダウンリンク共有チャネルPDSCHをスケジューリングするために使用されるとき、ネットワークデバイスにより、第1の無線ネットワーク一時識別子RNTIを使用することによって、DCIがマルチキャスト・トラフィック・チャネルを搬送するPDSCHをスケジューリングするために使用されること、および第1の情報がDCI内で示され、第2の情報がDCI内で示されないことを示すステップと、DCIがユーザ機器固有UE固有のPDSCHをスケジューリングするために使用されるとき、ネットワークデバイスにより、第2のRNTIを使用することによって、DCIがUE固有のPDSCHをスケジューリングするために使用されること、および第1の情報がDCI内で示されず、第2の情報がDCI内で示されることを示すステップと、を含む、ダウンリンク制御情報DCI伝送方法を提供する。
【０００５】
第1の態様では、ネットワークデバイスは第1のDCIフォーマットでDCIを伝送する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【０００６】
可能な実施形態では、DCIがランダムアクセス応答メッセージを搬送するPDSCHをスケジューリングするために使用されるとき、ネットワークデバイスは、第3のRNTIを使用することによって、DCIがランダムアクセス応答メッセージを搬送するPDSCHをスケジューリングするために使用されること、および第1の情報も第2の情報もDCI内で示されないことを示す。
【０００７】
可能な実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０００８】
可能な実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０００９】
可能な実施形態では、第1のフィールドに含まれるビットのDCI内のビット位置は、第2のフィールドに含まれるビットのDCI内のビット位置と同じである。
【００１０】
可能な実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００１１】
可能な実施形態では、DCIは第5のフィールドを含み、DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用され、またはDCIがランダムアクセス応答メッセージを搬送するPDSCHをスケジューリングするために使用されるとき、第5のフィールドのビットは予約ビットである。
【００１２】
可能な実施形態では、第2の情報はハイブリッド自動再送要求肯定応答リソースオフセットHARQ-ACK resource offsetであり、または第2の情報は新しいデータインジケータNDIであり、または第2の情報は伝送電力制御TPCであり、または第2の情報はハイブリッド自動再送要求プロセス番号HARQ process numberである。
【００１３】
可能な実施形態では、第5のフィールドは第2の情報を示すために使用されるフィールドである。
【００１４】
第2の態様によれば、本発明の一実施形態は、
ユーザ機器により、第1のDCIフォーマットでDCIを受信するステップであって、受信されたDCIの巡回冗長符号CRCが第1の無線ネットワーク一時識別子RNTIを使用することによってスクランブルされているとき、DCIがマルチキャスト・トラフィック・チャネルを搬送する物理ダウンリンク共有チャネルPDSCHをスケジューリングするために使用され、第1の情報がDCI内で示され、第2の情報がDCI内で示されず、受信されたDCIのCRCが第2のRNTIを使用することによってスクランブルされているとき、DCIがユーザ機器固有UE固有のPDSCHをスケジューリングするために使用され、第1の情報がDCI内で示されず、第2の情報がDCI内で示される、ステップを含む、ダウンリンク制御情報DCI伝送方法を提供する。
【００１５】
第2の態様では、ユーザ機器は第1のDCIフォーマットでDCIを受信する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００１６】
可能な実施形態では、受信されたDCIのCRCが第3のRNTIを使用することによってスクランブルされているとき、DCIはランダムアクセス応答メッセージを搬送するPDSCHをスケジューリングするために使用され、第1の情報も第2の情報もDCI内で示されない。
【００１７】
可能な実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００１８】
可能な実施形態では、DCIは第1のフィールドまたは第2のフィールドを含み、DCIがマルチキャスト・トラフィック・チャネルを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００１９】
可能な実施形態では、第1のフィールドに含まれるビットのDCI内のビット位置は、第2のフィールドに含まれるビットのDCI内のビット位置と同じである。
【００２０】
可能な実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００２１】
可能な実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用され、またはDCIがランダムアクセス応答メッセージを搬送するPDSCHをスケジューリングするために使用されるとき、第5のフィールドのビットは予約ビットである。
【００２２】
可能な実施形態では、第2の情報はハイブリッド自動再送要求肯定応答リソースオフセットHARQ-ACK resource offsetであり、または第2の情報は新しいデータインジケータNDIであり、または第2の情報は伝送電力制御TPCであり、または第2の情報はハイブリッド自動再送要求プロセス番号HARQ process numberである。
【００２３】
可能な実施形態では、第5のフィールドは第2の情報を示すために使用されるフィールドである。
【００２４】
第3の態様によれば、本発明の一実施形態は、伝送モジュールおよび指示モジュールを含むネットワークデバイスを提供する。
【００２５】
伝送モジュールは、第1のDCIフォーマットでDCIを伝送するように構成される。
【００２６】
指示モジュールは、DCIがマルチキャスト・トラフィック・チャネルを搬送する物理ダウンリンク共有チャネルPDSCHをスケジューリングするために使用されるとき、第1の無線ネットワーク一時識別子RNTIを使用することによって、DCIがマルチキャスト・トラフィック・チャネルを搬送するPDSCHをスケジューリングするために使用されること、および第1の情報がDCI内で示され、第2の情報がDCI内で示されないことを示すように構成される。
【００２７】
指示モジュールは、DCIがユーザ機器固有UE固有のPDSCHをスケジューリングするために使用されるとき、第2のRNTIを使用することによって、DCIがUE固有のPDSCHをスケジューリングするために使用されること、および第1の情報がDCI内で示されず、第2の情報がDCI内で示されることを示すようにさらに構成される。
【００２８】
第3の態様では、ネットワークデバイスは第1のDCIフォーマットでDCIを伝送する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００２９】
任意選択の実施形態では、指示モジュールは、DCIがランダムアクセス応答メッセージを搬送するPDSCHをスケジューリングするために使用されるとき、第3のRNTIを使用することによって、DCIがランダムアクセス応答メッセージを搬送するPDSCHをスケジューリングするために使用されること、および第1の情報も第2の情報もDCI内で示されないことを示すようにさらに構成される。
【００３０】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００３１】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００３２】
任意選択の実施形態では、第1のフィールドに含まれるビットのDCI内のビット位置は、第2のフィールドに含まれるビットのDCI内のビット位置と同じである。
【００３３】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００３４】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【００３５】
任意選択の実施形態では、第2の情報はハイブリッド自動再送要求肯定応答リソースオフセットHARQ-ACK resource offsetであり、または
第2の情報は新しいデータインジケータNDIであり、または
第2の情報は伝送電力制御TPCであり、または
第2の情報はハイブリッド自動再送要求プロセス番号HARQ process numberである。
【００３６】
任意選択の実施形態では、第5のフィールドは第2の情報を示すために使用されるフィールドである。
【００３７】
可能な設計では、ネットワークデバイスの構造はプロセッサおよびトランシーバを含み、トランシーバはプロセッサと通信可能に接続され、プロセッサは、この出願の第1の態様において提供されたダウンリンク制御情報伝送方法を実行するように構成される。任意選択で、構造はメモリをさらに含んでもよく、メモリは、上記の方法を実行する際にネットワークデバイスをサポートするアプリケーションプログラムコードを記憶するように構成され、プロセッサは、メモリに記憶されたアプリケーションプログラムコードを実行するように構成される。
【００３８】
第4の態様によれば、本発明の一実施形態は、受信モジュールおよび判断モジュールを含むユーザ機器を提供する。
【００３９】
受信モジュールは、第1のDCIフォーマットでDCIを受信するように構成される。
【００４０】
判断モジュールは、受信されたDCIの巡回冗長符号CRCが第1の無線ネットワーク一時識別子RNTIを使用することによってスクランブルされているとき、DCIがマルチキャスト・トラフィック・チャネルを搬送する物理ダウンリンク共有チャネルPDSCHをスケジューリングするために使用され、第1の情報がDCI内で示され、第2の情報がDCI内で示されないと判断するように構成される。
【００４１】
判断モジュールは、受信されたDCIのCRCが第2のRNTIを使用することによってスクランブルされているとき、DCIがユーザ機器固有UE固有のPDSCHをスケジューリングするために使用され、第1の情報がDCI内で示されず、第2の情報がDCI内で示されると判断するようにさらに構成される。
【００４２】
第4の態様では、ユーザ機器は第1のDCIフォーマットでDCIを受信する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００４３】
任意選択の実施形態では、判断モジュールは、受信されたDCIのCRCが第3のRNTIを使用することによってスクランブルされているとき、DCIがランダムアクセス応答メッセージを搬送するPDSCHをスケジューリングするために使用され、第1の情報も第2の情報もDCI内で示されないと判断するようにさらに構成される。
【００４４】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００４５】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００４６】
任意選択の実施形態では、第1のフィールドに含まれるビットのDCI内のビット位置は、第2のフィールドに含まれるビットのDCI内のビット位置と同じである。
【００４７】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００４８】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【００４９】
任意選択の実施形態では、第2の情報はハイブリッド自動再送要求肯定応答リソースオフセットHARQ-ACK resource offsetであり、または
第2の情報は新しいデータインジケータNDIであり、または
第2の情報は伝送電力制御TPCであり、または
第2の情報はハイブリッド自動再送要求プロセス番号HARQ process numberである。
【００５０】
任意選択の実施形態では、第5のフィールドは第2の情報を示すために使用されるフィールドである。
【００５１】
可能な設計では、ユーザ機器の構造はプロセッサおよびトランシーバを含み、トランシーバはプロセッサと通信可能に接続され、プロセッサは、この出願の第2の態様において提供された方法を実行するように構成される。任意選択で、構造はメモリをさらに含んでもよく、メモリは、上記の方法を実行する際にユーザ機器をサポートするアプリケーションプログラムコードを記憶するように構成され、プロセッサは、メモリに記憶されたアプリケーションプログラムコードを実行するように構成される。
【００５２】
第5の態様によれば、本発明の一実施形態は、上記のネットワークデバイスによって使用されるコンピュータソフトウェア命令を記憶するように構成されたコンピュータ記憶媒体を提供し、コンピュータソフトウェア命令は、上記の態様を実行するために設計されたプログラムを含む。
【００５３】
第6の態様によれば、本発明の一実施形態は、上記のユーザ機器によって使用されるコンピュータソフトウェア命令を記憶するように構成されたコンピュータ記憶媒体を提供し、コンピュータソフトウェア命令は、上記の態様を実行するために設計されたプログラムを含む。
【００５４】
本発明の実施形態では、ネットワークデバイスおよびユーザ機器の名前はデバイスに対する制限を構成しない。実際の実装形態では、これらのデバイスは、デバイスの機能がこの出願における機能と同様であり、この出願における請求項およびそれらの等価な技術の範囲内にあるという条件で、他の名前で現れてもよい。
【００５５】
本発明の実施形態では、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００５６】
本発明の実施形態または背景技術における技術的解決策をより明確に説明するために、以下は、本発明の実施形態または背景技術を説明するために要求される添付図面を簡単に説明する。
【図面の簡単な説明】
【００５７】
【図１】本発明の一実施形態による、可能なネットワークアーキテクチャの図である。
【図２】本発明の一実施形態による、ダウンリンク制御情報DCI伝送方法の概略フローチャートである。
【図３】本発明の一実施形態による、ビット位置の一例の図である。
【図４】本発明の一実施形態による、ビット位置の別の例の図である。
【図５】本発明の一実施形態による、ネットワークデバイスの概略構造図である。
【図６】本発明の一実施形態による、別のネットワークデバイスの概略構造図である。
【図７】本発明の一実施形態による、ユーザ機器の概略構造図である。
【図８】本発明の一実施形態による、別のユーザ機器の概略構造図である。
【発明を実施するための形態】
【００５８】
以下は、本発明の実施形態における添付図面を参照して、本発明の実施形態を説明する。
【００５９】
図1は、本発明の一実施形態による、可能なネットワークアーキテクチャの図である。図1に表されたように、ネットワークアーキテクチャは、基地局（Base station、BS）、および複数のユーザ機器（User Equipment、UE）、たとえば、UE1、UE2、…、およびUE6を含む。基地局およびUE1からUE6は通信システムを形成し、基地局がUE1からUE6のうちの1つ以上にスケジューリングメッセージを送信し得る。加えて、UE4からUE6も通信システムを形成することが可能であり、この通信システムでは、UE5がUE4およびUE6のうちの1つ以上にスケジューリング情報を送信し得る。
【００６０】
マルチメディア・ブロードキャスト・マルチキャスト・サービス（Multimedia Broadcast Multicast Service、MBMS）は、モバイルネットワークリソースを効果的に利用するために、1つのデータソースから複数のターゲットモバイル端末にデータを伝送するための技術である。
【００６１】
既存のマルチメディア・ブロードキャスト・マルチキャスト・サービスのために、ポイントツーマルチポイント（point to multipoint、PTM）伝送方式が使用される。既存のPTMでは、MCCHのいくつかの構成情報は、システム情報ブロック（system information block、SIB）、たとえば、SIB20を使用することによって示される。UEはSIB20の構成に基づいてMCCHを受信する。具体的には、UEは、まず、SIB20の構成に基づいて、物理ダウンリンク共有チャネル（Physical Downlink Shared Channel、PDSCH）をスケジューリングするために使用される物理ダウンリンク制御チャネル（Physical Downlink Control Channel、PDCCH）を受信する。PDSCHはMCCHを搬送する。PDCCHを検出することに成功した後、UEはMCCHを搬送するデータチャネルをさらに検出する。UEがMCCHを搬送するデータチャネルを検出することに成功した後、UEはMCCHによって示されたMTCHの構成情報を知る。そして、UEはPDSCHをスケジューリングするために使用される制御チャネルを検出し、PDSCHはMTCHを搬送する。制御チャネルを検出することに成功した後、UEはMTCHを搬送するデータチャネルをさらに検出する。MTCHはマルチキャスト情報を示すので、基地局はMTCHを通してUEとのマルチキャスト通信を実行する。
【００６２】
実際の通信では、MTCHの構成は変化し得る。たとえば、MTCHの構成は次の変更期間内で変化することがあり、新しいサービスは次の変更期間内で始まることがある。先行技術では、次の変更期間内でMTCHの構成が変化するかどうかを示すために、MTCHをスケジューリングするために使用されるダウンリンク制御情報DCIに追加ビットが追加され、次の変更期間内で新しいサービスが始まるかどうかを示すために、別の追加ビットが追加される。しかしながら、これは、DCIのビットオーバーヘッドを増加させ、制御チャネル伝送性能を低下させる。本発明の実施形態では、DCIは第1のDCIフォーマットで伝送され、DCIがマルチキャスト・トラフィック・チャネルを搬送する物理ダウンリンク共有チャネルPDSCHをスケジューリングするために使用されるとき、DCIがマルチキャスト・トラフィック・チャネルを搬送するPDSCHをスケジューリングするために使用されること、および第1の情報がDCI内で示され、第2の情報がDCI内で示されないことを示すために第1の無線ネットワーク一時識別子RNTIが使用され、DCIがユーザ機器固有UE固有のPDSCHをスケジューリングするために使用されるとき、DCIがUE固有のPDSCHをスケジューリングするために使用されること、および第1の情報がDCI内で示されず、第2の情報がDCI内で示されることを示すために第2のRNTIが使用される。このようにして、MTCHの構成情報が変化することを示す指示は、DCIにビットを追加することなくDCI内に実装され、それによって、制御チャネル伝送性能が改善される。
【００６３】
この出願の明細書、請求項、および添付図面において、用語「第1」、「第2」、「第3」、「第4」、および同様のものは、異なる対象の間で区別することが意図されるが、特定の順序を示さない。加えて、用語「含む」、「有する」、またはそれらの任意の他の変形は、排他的でない包含をカバーすることが意図される。たとえば、一連のステップまたはユニットを含むプロセス、方法、システム、製品、またはデバイスは、列挙されたステップまたはユニットに限定されないが、任意選択で、列挙されていないステップまたはユニットをさらに含み、または任意選択で、プロセス、方法、製品、またはデバイスの別の本来備わっているステップまたはユニットをさらに含む。
【００６４】
本発明の実施形態は、DCIが生成され伝送される必要がある別の通信システム、たとえば、発展型パケットシステム（Evolved Packet System、EPS）、モバイル通信のためのグローバルシステム（Global System of Mobile communications、GSM（登録商標））、符号分割多元接続（Code Division Multiple Access、CDMA）システム、広帯域符号分割多元接続（Wideband Code Division Multiple Access、WCDMA（登録商標））システム、汎用パケット無線サービス（General Packet Radio Service、GPRS）システム、LTE周波数分割複信（Frequency Division Duplex、FDD）システム、またはLTE時分割複信（Time Division Duplex、TDD）システムに適用され得る。
【００６５】
本発明の実施形態では、ユーザ機器は、限定はしないが、端末（Terminal）、移動局（Mobile Station、MS）、および同様のものを含んでもよく、または携帯電話（または「セルラー」フォンと呼ばれる）であってもよく、またはポータブルの、ポケットサイズの、ハンドヘルドの、コンピュータ内蔵の、または車載の、モバイル装置（スマートバンド、スマートウォッチ、スマートグラス、または同様のもの）であってもよい。
【００６６】
図1に表されたネットワークアーキテクチャに基づいて、本発明の実施形態におけるネットワークデバイスおよびユーザ機器は、デバイスの機能が本発明における機能と同様であり、本発明における請求項およびそれらの等価な技術の範囲内にあるという条件で、他の名前で現れてもよい。
【００６７】
図2は、本発明の一実施形態による、ダウンリンク制御情報DCI伝送方法の概略フローチャートである。図2に表されたように、本発明のこの実施形態におけるDCI伝送方法は、ユーザ機器と、基地局のようなネットワークデバイスの両方によって実行される。具体的なプロセスについて、以下の詳細な説明を参照されたい。
【００６８】
101．基地局が第1のDCIフォーマットでDCIを伝送する。
【００６９】
具体的には、第1のDCIフォーマットは既存のDCIフォーマットであってもよい。たとえば、第1のDCIフォーマットは、DCI format 6-1AまたはDCI format 6-1Bである。その代わりに、第1のDCIフォーマットは新しく定義されたDCIフォーマットである。たとえば、第1のDCIフォーマットは、DCI format 6-3A、DCI format 6-3B、DCI format 7-1A、またはDCI format 7-1Bである。これは、本発明のこの実施形態では限定されない。
【００７０】
さらに、第1のDCIフォーマットでのDCIは、複数のPDSCHをスケジューリングするために使用されてもよい。たとえば、DCIは、マルチキャスト・トラフィック・チャネル（MTCH）を搬送するPDSCHをスケジューリングするために使用され、またはDCIは、ユーザ機器固有のPDSCHをスケジューリングするために使用され、またはDCIは、ランダムアクセス応答メッセージを搬送するPDSCHをスケジューリングするために使用される。基地局は、異なる無線ネットワーク一時識別子（radio network temporary identifier、RNTI）を使用することによって、DCIが異なるPDSCHをスケジューリングするために使用されることを示し得る。具体的には、基地局は、異なるPDSCHをスケジューリングするために、異なるRNTIを使用することによってDCIの巡回冗長検査（Cyclic Redundancy Check、CRC）をスクランブルする。
【００７１】
たとえば、ステップ103において、DCIがMTCHを搬送するPDSCHをスケジューリングするために使用されるならば、基地局は、第1のRNTIを使用することによって、DCIがMTCHを搬送するPDSCHをスケジューリングするために使用されることを示し得る。この場合、DCI内で、第1の情報は示され、第2の情報は示されない。たとえば、ステップ104において、DCIがユーザ機器固有のPDSCHをスケジューリングするために使用されるならば、基地局は、第2のRNTIを使用することによって、DCIがUE固有のPDSCHをスケジューリングするために使用されることを示し得る。この場合、DCI内で、第2の情報は示され、第1の情報は示されない。
【００７２】
任意選択で、DCIがランダムアクセス応答メッセージを搬送するPDSCHをスケジューリングするために使用されるならば、基地局は、第3のRNTIを使用することによって、DCIがランダムアクセス応答メッセージを搬送するPDSCHをスケジューリングするために使用されることを示し得る。この場合、DCI内で、第1の情報も第2の情報も示されない。
【００７３】
第1の情報は、MTCHが変化するかどうかを示すために使用される情報である。たとえば、第1の情報は、以下のうちの少なくとも1つ、すなわち、次の変更期間内でMTCHの構成が変化するかどうか、または次の変更期間内でMTCHにおいて新しいサービスが始まるかどうか、を示すために使用される。任意選択で、第1の情報はDCI内で1ビットまたは2ビットを占有してもよい。
【００７４】
可能な実施形態では、第1の情報のサイズは1ビットであり、第1の情報は、次の変更期間内でMTCHの構成が変化するかどうかを示すために使用される。具体的には、第1の情報のビットのステータスが0であるとき、それは、次の変更期間内でMTCHの構成が変化しないままであることを示し、第1の情報のビットのステータスが1であるとき、それは、次の変更期間内でMTCHの構成が変化することを示す。その代わりに、第1の情報のビットのステータスが1であるとき、それは、次の変更期間内でMTCHの構成が変化しないままであることを示し、第1の情報のビットのステータスが0であるとき、それは、次の変更期間内でMTCHの構成が変化することを示す。
【００７５】
可能な実施形態では、第1の情報のサイズは1ビットであり、第1の情報は、次の変更期間内でMTCHにおいて新しいサービスが始まるかどうかを示すために使用される。具体的には、第1の情報のビットのステータスが0であるとき、それは、次の変更期間内でMTCHにおいて新しいサービスが始まることを示し、第1の情報のビットのステータスが1であるとき、それは、次の変更期間内でMTCHにおいて新しいサービスが始まらないことを示す。その代わりに、第1の情報のビットのステータスが1であるとき、それは、次の変更期間内でMTCHにおいて新しいサービスが始まることを示し、第1の情報のビットのステータスが0であるとき、それは、次の変更期間内でMTCHにおいて新しいサービスが始まらないことを示す。
【００７６】
可能な実施形態では、第1の情報のサイズは2ビットであり、第1の情報は第3の情報および第4の情報のみを含み、第3の情報のサイズは1ビットであり、第4の情報のサイズは1ビットである。第3の情報は、次の変更期間内でMTCHの構成が変化するかどうかを示すために使用される。第4の情報は、次の変更期間内でMTCHにおいて新しいサービスが始まるかどうかを示すために使用される。第3の情報について、第3の情報のビットのステータスが0であるとき、それは、次の変更期間内でMTCHの構成が変化しないままであることを示し、第3の情報のビットのステータスが1であるとき、それは、次の変更期間内でMTCHの構成が変化することを示す。その代わりに、第3の情報のビットのステータスが1であるとき、それは、次の変更期間内でMTCHの構成が変化しないままであることを示し、第3の情報のビットのステータスが0であるとき、それは、次の変更期間内でMTCHの構成が変化することを示す。第4の情報について、第4の情報のビットのステータスが0であるとき、それは、次の変更期間内でMTCHにおいて新しいサービスが始まることを示し、第4の情報のビットのステータスが1であるとき、それは、次の変更期間内でMTCHにおいて新しいサービスが始まらないことを示す。その代わりに、第4の情報のビットのステータスが1であるとき、それは、次の変更期間内でMTCHにおいて新しいサービスが始まることを示し、第4の情報のビットのステータスが0であるとき、それは、次の変更期間内でMTCHにおいて新しいサービスが始まらないことを示す。
【００７７】
可能な実施形態では、第1の情報のサイズは2ビットであり、第1の情報の2ビットは、次の変更期間内でMTCHの構成が変化するかどうか、および次の変更期間内でMTCHにおいて新しいサービスが始まるかどうかを一緒に示すために使用される。たとえば、2ビットは、00、01、10、および11のような4つの状態に対応する。4つの状態は、異なる情報にそれぞれ対応する。下記の表1は可能な対応関係を表す。別の可能な対応関係は、本発明のこの実施形態では限定されない。
【００７８】
【表１】
2020504578.tif 000003
【００７９】
さらに、本発明のこの実施形態では、DCIが異なるPDSCHをスケジューリングするために使用されるとき、DCI内で示される必要がある情報は、DCI内で示される必要がない情報と異なることが留意されるべきである。依然として使用されることができるDCI内のビットの数は、示される必要がない情報を使用することによって判断され、対応するビットの数は、示される必要がある情報を示すために使用される。このようにして、示される必要がある情報は、ビットの数を増加させることなく伝送されることができ、それにより、制御チャネル伝送性能を改善する。
【００８０】
そのような考察に基づいて、第1の情報がDCI内で示されるとき、DCI内で示される必要がない第2の情報は、限定はしないが、ハイブリッド自動再送要求肯定応答リソースオフセット（HARQ-ACK resource offset）、新しいデータインジケータ（New data indicator、NDI）、伝送電力制御（Transmit Power Control、TPC）、およびハイブリッド自動再送要求プロセス番号（HARQ process number）のうちのいずれか1つを含んでもよい。HARQは、ハイブリッド自動再送要求（Hybrid Automatic Retransmission Request）である。詳細について、以下の分析を参照されたい。
【００８１】
可能な実施形態では、第2の情報がHARQ-ACK resource offsetであるとき、DCIがMTCHを搬送するPDSCHをスケジューリングするために使用されるならば、UEは受信されたPDSCHに肯定応答する必要がないので、基地局は、DCI内でHARQ-ACK resource offsetを示す必要がない。したがって、第2の情報が示されないとき、第1の情報はDCI内で示されてもよい。さらに、DCIにビットを追加することなく、MTCHの構成情報が変化したことを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答する必要があるので、基地局は、DCI内に、HARQ-ACK resource offsetを示す情報を含める必要があり、それによって、肯定応答を要求する第2の情報は、DCI内で依然として示されることができる。
【００８２】
可能な実施形態では、第2の情報がNDIであるとき、DCIがMTCHを搬送するPDSCHをスケジューリングするために使用されるならば、基地局は、PDSCHが新しく伝送されたか、または再伝送されたかを示す必要がないので、基地局は、DCI内でNDIを示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、基地局は、送信されたPDSCHが新しく伝送されたか、または再伝送されたかを示す必要があるので、基地局は、DCI内に、NDIを示す情報を含める必要がある。
【００８３】
可能な実施形態では、第2の情報がTPCであるとき、DCIがMTCHを搬送するPDSCHをスケジューリングするために使用されるならば、UEは受信されたPDSCHに肯定応答する必要がないので、基地局は、DCI内でPUCCHの伝送電力制御を示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答する必要があるので、基地局は、DCI内に、TPCを示す情報を含める必要がある。
【００８４】
可能な実施形態では、第2の情報がHARQ-ACK process numberであるとき、DCIがMTCHを搬送するPDSCHをスケジューリングするために使用されるならば、UEは受信されたPDSCHに肯定応答する必要がなく、HARQ結合を実行する必要がないので、基地局は、DCI内でHARQ process numberを示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答し、HARQ結合を実行する必要があるので、基地局は、DCI内に、HARQ process numberを示す情報を含める必要がある。
【００８５】
可能な実施形態では、上記の例における第1の情報および第2の情報は、異なるフィールドを使用することによってDCI内で示されてもよい。第1のフィールドは第1の情報を示すために使用され、第2のフィールドは第2の情報を示すために使用される。DCIがMTCHを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まない。
【００８６】
任意選択で、第1のフィールドに含まれるビットのDCI内のビット位置は、第2のフィールドに含まれるビットのDCI内のビット位置と同じである。図3は、本発明の一実施形態による、ビット位置の一例の図である。一例として、第1の情報のサイズおよび第2の情報のサイズの各々が2ビットである場合を使用することによって説明が行われる。DCI内の第1のフィールドまたは第2のフィールドによって占有されるビット位置は、16番目のビット位置および17番目のビット位置である。DCIがMTCHを搬送するPDSCHをスケジューリングするために使用されるとき、DCI内の16番目のビット位置および17番目のビット位置は、第1の情報に対応するビット位置である。DCIがUE固有のPDSCHをスケジューリングするために使用されるとき、DCI内の16番目のビット位置および17番目のビット位置は、第2の情報に対応するビット位置である。DCI内の異なるフィールドが第1の情報および第2の情報を示すために使用されるとき、第1のフィールドに含まれるビットまたは第2のフィールドに含まれるビットを書き込むために固定されたビット位置が使用され、それによって、UEはDCI内の第1の情報および第2の情報を解釈することができ、それにより、解釈の効率を改善する。
【００８７】
別の可能な実施形態では、第1の情報または第2の情報を示すために、DCI内の同じフィールドが使用されてもよい。具体的には、DCIは第5のフィールドを含む。DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用される、またはDCIがランダムアクセス応答メッセージを搬送するPDSCHをスケジューリングするために使用されるとき、第5のフィールドのビットは予約ビットである。
【００８８】
たとえば、図4は、本発明の一実施形態による、ビット位置の別の例の図である。図4に表されたように、第1の情報のサイズおよび第2の情報のサイズの各々が2ビットである場合を例として使用することによって、説明が行われる。DCI内の第5のフィールドによって占有されるビット位置は、16番目のビット位置および17番目のビット位置である。DCIがMTCHを搬送するPDSCHをスケジューリングするために使用されるとき、DCI内の16番目のビット位置および17番目のビット位置は第1の情報に対応するビット位置であり、またはDCIがUE固有のPDSCHをスケジューリングするために使用されるとき、DCI内の16番目のビット位置および17番目のビット位置は第2の情報に対応するビット位置であり、またはDCIがランダムアクセス応答メッセージを搬送するPDSCHをスケジューリングするために使用されるとき、DCI内の16番目のビット位置および17番目のビット位置は予約ビットの位置である。第1の情報によって占有されるフィールドは、第2の情報を示すフィールドであり、それにより、DCIのビットオーバーヘッドの増加を防止し、DCI伝送性能を改善し、リソース利用効率を最適化することが知られることができる。
【００８９】
102．ユーザ機器が第1のDCIフォーマットでDCIを受信する。
【００９０】
具体的には、DCIを受信するためにユーザ機器によって使用されるDCIフォーマットは、DCIを伝送するために基地局によって使用されるフォーマットと同じであり、第1のDCIフォーマットは、本発明のこの実施形態では限定されない。
【００９１】
さらに、ユーザ機器は、受信されたDCIの巡回冗長検査（Cyclic Redundancy Check，CRC）をスクランブルするために使用されるRNTIを判断することによって、DCIを使用することによってスケジューリングされたPDSCHを判断し得る。
【００９２】
任意選択で、ユーザ機器がDCIを受信した後に、ステップ105が実行される。受信されたDCIのCRCが第1のRNTIを使用することによってスクランブルされているとユーザ機器が判断したならば、DCIはMTCHを搬送するPDSCHをスケジューリングするために使用され、第1の情報はDCI内で示され、第2の情報はDCI内で示されない。その代わりに、ユーザ機器がDCIを受信した後に、ステップ106が実行される。受信されたDCIのCRCが第2のRNTIを使用することによってスクランブルされているとユーザ機器が判断したならば、DCIはユーザ機器固有UE固有のPDSCHをスケジューリングするために使用され、第1の情報はDCI内で示されず、第2の情報はDCI内で示される。
【００９３】
任意選択で、受信されたDCIのCRCが第3のRNTIを使用することによってスクランブルされているとユーザ機器が判断したとき、DCIはランダムアクセス応答メッセージを搬送するPDSCHをスケジューリングするために使用され、第1の情報も第2の情報もDCI内で示されない。
【００９４】
DCIが異なるPDSCHをスケジューリングするために使用される場合について、基地局は、DCIに含まれるフィールド、含まれたフィールドによって示される情報、およびフィールドに含まれるビットのDCI内のビット位置を設定しており、情報は、また、ユーザ機器によって判断されてもよい。したがって、ユーザ機器が、DCIがスケジューリングするために使用されるPDSCHを判断した後に、DCIによって示される情報は、PDSCHに対応するDCIに含まれる指定されたフィールド、含まれたフィールドによって示される情報、およびフィールドに含まれるビットのDCI内のビット位置に基づいて判断されてもよい。
【００９５】
さらに、第1の情報、第2の情報、第1の情報を示すフィールド、および第2の情報を示すフィールドについて、基地局側について説明された内容を参照されたい。詳細は再びここで説明されない。
【００９６】
たとえば、図4に表されたビット位置の例の図では、第1の情報および第2の情報の各々のサイズは各々2ビットであり、DCI内の第5のフィールドによって占有されるビット位置は、16番目のビット位置および17番目のビット位置である。DCIがMTCHを搬送するPDSCHをスケジューリングするために使用されているとユーザ機器が判断するとき、ユーザ機器は、DCI内の16番目のビット位置および17番目のビット位置が第1の情報を示すと判断し、示された第1の情報をさらに判断するために、DCI内の16番目のビット位置および17番目のビット位置からビット値を取得し得る。DCIがユーザ機器固有のPDSCHをスケジューリングするために使用されているとユーザ機器が判断するとき、ユーザ機器は、DCI内の16番目のビット位置および17番目のビット位置が第2の情報を示すと判断し、示された第2の情報をさらに判断するために、DCI内の16番目のビット位置および17番目のビット位置からビット値を取得し得る。DCIがランダムアクセス応答メッセージを搬送するPDSCHをスケジューリングするために使用されているとユーザ機器が判断するとき、ユーザ機器は、16番目のビット位置および17番目のビット位置が予約ビットの位置であると判断し得る。
【００９７】
本発明のこの実施形態では、マルチキャスト・トラフィック・チャネルは、シングルキャリアマルチキャスト制御チャネル（Single-carrier multicast control channel、SC-MCCH）であってもよいことが留意されるべきである。これは本発明のこの実施形態では限定されない。
【００９８】
本発明のこの実施形態では、基地局は第1のDCIフォーマットでDCIを伝送する。DCIがMTCHを搬送するPDSCHをスケジューリングするために使用されるとき、基地局は、第1のRNTIを使用することによって、DCIがMTCHを搬送するPDSCHをスケジューリングするために使用されること、および第1の情報がDCI内で示され、第2の情報がDCI内で示されないことを示す。DCIがユーザ機器固有UE固有のPDSCHをスケジューリングするために使用されるとき、基地局は、第2のRNTIを使用することによって、DCIがUE固有のPDSCHをスケジューリングするために使用されること、および第1の情報がDCI内で示されず、第2の情報がDCI内で示されることを示す。このようにして、DCIが異なるPDSCHをスケジューリングするために使用されるとき、DCI内で示される必要がある情報は、DCI内で示される必要がない情報と異なる。したがって、依然として使用されることができるDCI内のビットの数は、示される必要がない情報を使用することによって判断され、対応するビットの数は、示される必要がある情報を示すために使用され、それによって、示される必要がある情報は、ビットの数を増加させることなく伝送されることができ、それにより、制御チャネル伝送性能を改善する。
【００９９】
図5は、本発明の一実施形態による、ネットワークデバイスの概略構造図である。本発明のこの実施形態におけるネットワークデバイスは、図2から図4に表された任意の実施形態において提供されたネットワークデバイスであり得る。図5に表されたように、本発明のこの実施形態におけるネットワークデバイス1は、伝送モジュール11および指示モジュール12を含み得る。
【０１００】
伝送モジュール11は、第1のDCIフォーマットでDCIを伝送するように構成される。
【０１０１】
指示モジュール12は、DCIがマルチキャスト・トラフィック・チャネルを搬送する物理ダウンリンク共有チャネルPDSCHをスケジューリングするために使用されるとき、第1の無線ネットワーク一時識別子RNTIを使用することによって、DCIがマルチキャスト・トラフィック・チャネルを搬送するPDSCHをスケジューリングするために使用されること、および第1の情報がDCI内で示され、第2の情報がDCI内で示されないことを示すように構成される。
【０１０２】
指示モジュール12は、DCIがユーザ機器固有UE固有のPDSCHをスケジューリングするために使用されるとき、第2のRNTIを使用することによって、DCIがUE固有のPDSCHをスケジューリングするために使用されること、および第1の情報がDCI内で示されず、第2の情報がDCI内で示されることを示すようにさらに構成される。
【０１０３】
任意選択の実施形態では、指示モジュール12は、DCIがランダムアクセス応答メッセージを搬送するPDSCHをスケジューリングするために使用されるとき、第3のRNTIを使用することによって、DCIがランダムアクセス応答メッセージを搬送するPDSCHをスケジューリングするために使用されること、および第1の情報も第2の情報もDCI内で示されないことを示すようにさらに構成される。
【０１０４】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０１０５】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０１０６】
任意選択の実施形態では、第1のフィールドに含まれるビットのDCI内のビット位置は、第2のフィールドに含まれるビットのDCI内のビット位置と同じである。
【０１０７】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【０１０８】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【０１０９】
任意選択の実施形態では、第2の情報はハイブリッド自動再送要求肯定応答リソースオフセットHARQ-ACK resource offsetであり、または
第2の情報は新しいデータインジケータNDIであり、または
第2の情報は伝送電力制御TPCであり、または
第2の情報はハイブリッド自動再送要求プロセス番号HARQ process numberである。
【０１１０】
任意選択の実施形態では、第5のフィールドは第2の情報を示すために使用されるフィールドである。
【０１１１】
図5に表された実施形態におけるネットワークデバイスは、図6に表されたネットワークデバイスを使用することによって実装されてもよい。図6は、本発明の一実施形態による、ネットワークデバイスの概略構造図である。図6に表されたネットワークデバイス600は、プロセッサ601およびトランシーバ602を含む。プロセッサ601は、たとえば、バスを使用することによってトランシーバ602と通信可能に接続される。任意選択で、ネットワークデバイス600はメモリ603をさらに含んでもよい。実際の適用では、少なくとも1つのトランシーバ602があり、ネットワークデバイス600の構造は、本発明のこの実施形態に対して何も限定を構成しないことが留意されるべきである。
【０１１２】
プロセッサ601は、本発明のこの実施形態に適用され、図5に表された指示モジュール12の機能を実装するように構成される。トランシーバ602は、本発明のこの実施形態に適用され、図5に表された伝送モジュール11の機能を実装するように構成される。任意選択で、トランシーバ602は受信機および送信機を含む。
【０１１３】
プロセッサ601は、中央処理ユニット（Central Processing Unit、CPU）、汎用プロセッサ、デジタル信号プロセッサ（Digital Signal Processor、DSP）、特定用途向け集積回路（Application Specific Integrated Circuit、ASIC）、フィールド・プログラマブル・ゲート・アレイ（Field-Programmable Gate Array、FPGA）または別のプログラマブル論理デバイス、トランジスタ論理デバイス、ハードウェア構成要素、またはそれらの任意の組み合わせであり得る。プロセッサ601は、この出願に開示された内容を参照して説明された論理ブロック、モジュール、および回路の様々な例を実装または実行し得る。その代わりに、プロセッサ601は、計算機能を実装するプロセッサの組み合わせ、たとえば、1つ以上のマイクロプロセッサの組み合わせ、またはDSPとマイクロプロセッサの組み合わせであってもよい。
【０１１４】
メモリ603は、リードオンリメモリ（read-only memory、ROM）または静的な情報および命令を記憶することができる別のタイプの静的記憶デバイス、またはランダムアクセスメモリ（random access memory、RAM）または情報および命令を記憶することができる別のタイプの動的記憶デバイスであってもよく、または電気的消去可能プログラマブル・リードオンリメモリ（Electrically Erasable Programmable Read-Only Memory、EEPROM）、コンパクトディスク・リードオンリメモリ（Compact Disc Read-Only Memory、CD-ROM）または他のコンパクトディスクストレージ、（コンパクトディスク、レーザーディスク（登録商標）、光ディスク、デジタル多用途ディスク、ブルーレイディスク、または同様のものを含む）光ディスク記憶、ディスク記憶媒体または別の磁気記憶デバイス、または命令またはデータ構造の形式で予想されるプログラムコードを搬送または記憶するために使用されることができる任意の他のコンピュータアクセス可能媒体であってもよい。しかしながら、これはここでは限定されない。
【０１１５】
任意選択で、メモリ603は、この出願の解決策を実行するために使用されるアプリケーションプログラムコードを記憶するように構成され、プロセッサ601は実行を制御する。プロセッサ601は、図2から図4に表された任意の実施形態において提供されたネットワークデバイスの動作を実装するために、メモリ603に記憶されたアプリケーションプログラムコードを実行するように構成される。
【０１１６】
本発明の一実施形態は、上記のネットワークデバイスによって使用されるコンピュータソフトウェア命令を記憶するように構成されたコンピュータ記憶媒体をさらに提供し、コンピュータソフトウェア命令は、ネットワークデバイスが上記の実施形態を実行するために設計されたプログラムを含む。
【０１１７】
図7は、本発明の一実施形態による、ユーザ機器の概略構造図である。本発明のこの実施形態におけるユーザ機器は、図2から図4に表された任意の実施形態において提供されたユーザ機器であってもよい。図7に表されたように、本発明のこの実施形態におけるユーザ機器2は、受信モジュール21および判断モジュール22を含み得る。
【０１１８】
受信モジュール21は、第1のDCIフォーマットでDCIを受信するように構成される。
【０１１９】
判断モジュール22は、受信されたDCIの巡回冗長符号CRCが第1の無線ネットワーク一時識別子RNTIを使用することによってスクランブルされているとき、DCIがマルチキャスト・トラフィック・チャネルを搬送する物理ダウンリンク共有チャネルPDSCHをスケジューリングするために使用され、第1の情報がDCI内で示され、第2の情報がDCI内で示されないと判断するように構成される。
【０１２０】
判断モジュール22は、受信されたDCIのCRCが第2のRNTIを使用することによってスクランブルされているとき、DCIがユーザ機器固有UE固有のPDSCHをスケジューリングするために使用され、第1の情報がDCI内で示されず、第2の情報がDCI内で示されると判断するようにさらに構成される。
【０１２１】
任意選択の実施形態では、判断モジュール22は、受信されたDCIのCRCが第3のRNTIを使用することによってスクランブルされているとき、DCIがランダムアクセス応答メッセージを搬送するPDSCHをスケジューリングするために使用され、第1の情報も第2の情報もDCI内で示されないと判断するようにさらに構成される。
【０１２２】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０１２３】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０１２４】
任意選択の実施形態では、第1のフィールドに含まれるビットのDCI内のビット位置は、第2のフィールドに含まれるビットのDCI内のビット位置と同じである。
【０１２５】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【０１２６】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【０１２７】
任意選択の実施形態では、第2の情報はハイブリッド自動再送要求肯定応答リソースオフセットHARQ-ACK resource offsetであり、または
第2の情報は新しいデータインジケータNDIであり、または
第2の情報は伝送電力制御TPCであり、または
第2の情報はハイブリッド自動再送要求プロセス番号HARQ process numberである。
【０１２８】
任意選択の実施形態では、第5のフィールドは第2の情報を示すために使用されるフィールドである。
【０１２９】
図7に表された実施形態におけるユーザ機器は、図8に表されたユーザ機器を使用することによって実装されてもよい。図8は、本発明の一実施形態による、ユーザ機器の概略構造図である。図8に表されたユーザ機器800は、プロセッサ801およびトランシーバ802を含む。プロセッサ801は、たとえば、バスを使用することによってトランシーバ802と通信可能に接続される。任意選択で、ユーザ機器800はメモリ803をさらに含んでもよい。実際の適用では、少なくとも1つのトランシーバ802があり、ユーザ機器800の構造は、本発明のこの実施形態に対して何も限定を構成しないことが留意されるべきである。
【０１３０】
プロセッサ801は、本発明のこの実施形態に適用され、図7に表された判断モジュール22の機能を実装するように構成される。トランシーバ802は、本発明のこの実施形態に適用され、図7に表された受信モジュール21の機能を実装するように構成される。任意選択で、トランシーバ802は受信機および送信機を含む。
【０１３１】
プロセッサ801は、CPU、汎用プロセッサ、DSP、ASIC、FPGAまたは別のプログラマブル論理デバイス、トランジスタ論理デバイス、ハードウェア構成要素、またはそれらの任意の組み合わせであり得る。プロセッサ801は、この出願に開示された内容を参照して説明された論理ブロック、モジュール、および回路の様々な例を実装または実行し得る。その代わりに、プロセッサ801は、計算機能を実装するプロセッサの組み合わせ、たとえば、1つ以上のマイクロプロセッサの組み合わせ、またはDSPとマイクロプロセッサの組み合わせであってもよい。
【０１３２】
メモリ803は、ROMまたは静的な情報および命令を記憶することができる別のタイプの静的記憶デバイス、またはRAMまたは情報および命令を記憶することができる別のタイプの動的記憶デバイスであってもよく、またはEEPROM、CD-ROMまたは他のコンパクトディスク記憶、（コンパクトディスク、レーザーディスク（登録商標）、光ディスク、デジタル多用途ディスク、ブルーレイディスク、または同様のものを含む）光ディスク記憶、ディスク記憶媒体または別の磁気記憶デバイス、または命令またはデータ構造の形式で予想されるプログラムコードを搬送または記憶するために使用されることができる任意の他のコンピュータアクセス可能媒体であってもよい。しかしながら、これはここでは限定されない。
【０１３３】
任意選択で、メモリ803は、この出願の解決策を実行するために使用されるアプリケーションプログラムコードを記憶するように構成され、プロセッサ801は実行を制御する。プロセッサ801は、図2から図4に表された任意の実施形態において提供されたユーザ機器の動作を実装するために、メモリ803に記憶されたアプリケーションプログラムコードを実行するように構成される。
【０１３４】
本発明の一実施形態は、上記のユーザ機器によって使用されるコンピュータソフトウェア命令を記憶するように構成されたコンピュータ記憶媒体をさらに提供し、コンピュータソフトウェア命令は、ユーザ機器が上記の態様を実行するために設計されたプログラムを含む。
【０１３５】
この技術分野の当業者は、実施形態における方法のプロセスのすべてまたはいくつかが、関連するハードウェアに命令するコンピュータプログラムによって実装され得ることを理解し得る。プログラムはコンピュータ読み取り可能な記憶媒体に記憶されてもよい。プログラムが動作するとき、実施形態における方法のプロセスが実行される。上記の記憶媒体は、ROM、ランダムアクセスメモリRAM、磁気ディスク、または光ディスクのような、プログラムコードを記憶することができる任意の媒体を含む。
【０１３６】
この出願は、様々な実施形態を参照して説明されているが、保護を請求するこの出願を実装するプロセスにおいて、この技術分野の当業者は、添付図面、開示された内容、および添付請求項を閲覧することによって、開示された実施形態の別の変形を理解して実装し得る。請求項では、「備える」（comprising）は別の構成要素または別のステップを排除せず、「a」または「one」は「複数」の場合を排除しない。単一のプロセッサまたは別のユニットは、請求項に列挙されたいくつかの機能を実装し得る。いくつかの手段は互いに異なる従属請求項に記録されるが、これは、より良い効果を生み出すためにこれらの手段が組み合わせられることができないことを意味しない。
【０１３７】
この出願における技術的解決策をこの技術分野の当業者がより良く理解することを可能にするために、上記は、この出願の実施形態における添付図面を参照して、この出願の実施形態における技術的解決策を記載した。この出願の明細書、請求項、および添付図面において、用語「第1」、「第2」、「第3」、「第4」、および同様のものは、異なる対象の間で区別することが意図されるが、特定の順序を示さない。加えて、用語「含む」、「有する」、またはそれらの任意の他の変形は、排他的でない包含をカバーすることが意図される。たとえば、一連のステップまたはユニットを含むプロセス、方法、システム、製品、またはデバイスは、列挙されたステップまたはユニットに限定されないが、任意選択で、列挙されていないステップまたはユニットをさらに含み、または任意選択で、プロセス、方法、製品、またはデバイスの別の本来備わっているステップまたはユニットをさらに含む。
【０１３８】
この出願の実施形態は、方法、装置（デバイス）、またはコンピュータプログラム製品として提供され得ることをこの技術分野の当業者は理解すべきである。したがって、この出願は、ハードウェアのみの実施形態、ソフトウェアのみの実施形態、またはソフトウェアとハードウェアの組み合わせを有する実施形態の形式を使用し得る。加えて、この出願は、コンピュータ使用可能プログラムコードを含む、（限定はしないが、ディスクメモリ、CD-ROM、光メモリ、または同様のものを含む）1つ以上のコンピュータ使用可能記憶媒体に実装されたコンピュータプログラム製品の形式を使用し得る。コンピュータプログラムは、適切な媒体に記憶／配分され、別のハードウェアと一緒にハードウェアの一部として提供または使用され、または、たとえば、Internetまたは別の有線またはワイヤレスの電気通信システムを使用することによって、別の配分形式も使用し得る。
【０１３９】
この出願は、この出願の実施形態における方法、装置（デバイス）、およびコンピュータプログラム製品のフローチャートおよび／またはブロック図を参照して説明されている。コンピュータプログラム命令は、フローチャートおよび／またはブロック図における各プロセスおよび／または各ブロック、およびフローチャートおよび／またはブロック図におけるプロセスおよび／またはブロックの組み合わせを実装するために使用され得ることが理解されるべきである。これらのコンピュータプログラム命令は、機械を生成するために、汎用コンピュータ、専用コンピュータ、組み込み型プロセッサ、または任意の他のプログラマブルデータ処理デバイスのプロセッサに提供されることが可能であり、それによって、コンピュータまたは任意の他のプログラマブルデータ処理デバイスのプロセッサによって実行される命令は、フローチャート内の1つ以上のプロセスにおける、および／またはブロック図内の1つ以上のブロックにおける固有の機能を実装するための装置を生成する。
【０１４０】
これらのコンピュータプログラム命令は、また、固有の方式で動作するようにコンピュータまたは任意の他のプログラマブルデータ処理デバイスに命令することができるコンピュータ読み取り可能なメモリに記憶されてもよく、それによって、コンピュータ読み取り可能なメモリに記憶された命令は、命令装置を含む人工物を生成する。命令装置は、フローチャート内の1つ以上のプロセスにおける、および／またはブロック図内の1つ以上のブロックにおける固有の機能を実装する。
【０１４１】
これらのコンピュータプログラム命令は、また、コンピュータまたは別のプログラマブルデータ処理デバイスにロードされてもよく、それによって、一連の動作およびステップは、コンピュータ実装処理を生成するために、コンピュータまたは別のプログラマブルデバイスにおいて実行される。したがって、コンピュータまたは別のプログラマブルデバイスにおいて実行される命令は、フローチャート内の1つ以上のプロセスにおける、および／またはブロック図内の1つ以上のブロックにおける固有の機能を実装するためのステップを提供する。
【０１４２】
この出願は、固有の特徴およびそれらの実施形態を参照して説明されているが、明らかに、この出願の思想および範囲から逸脱することなく、この出願に対して様々な修正および組み合わせが行われ得る。それに対応して、明細書および添付図面は、添付請求項によって規定されるこの出願の説明の単なる例であり、この出願の範囲をカバーする修正、変形、組み合わせ、または等価物のいずれかまたはすべてと考えられる。明らかに、この技術分野の当業者は、この出願の思想および範囲から逸脱することなく、この出願に対して様々な修正および変形を行い得る。この出願は、この出願における請求項およびそれらの等価な技術の範囲内にあるという条件で、この出願のこれらの修正および変形をカバーすることが意図される。
【符号の説明】
【０１４３】
1、600  ネットワークデバイス
2、800  ユーザ機器
11  指示モジュール
12  伝送モジュール
21  受信モジュール
22  判断モジュール
601、801  プロセッサ
602、802  トランシーバ
603、803  メモリ
【図１】
2020504578.tif 000004
【図２】
2020504578.tif 000005
【図３】
2020504578.tif 000006
【図４】
2020504578.tif 000007
【図５】
2020504578.tif 000008
【図６】
2020504578.tif 000009
【図７】
2020504578.tif 000010
【図８】
2020504578.tif 000011
【手続補正書】
【提出日】令和1年8月28日(2019.8.28)
【手続補正１】
【補正対象書類名】明細書
【補正対象項目名】全文
【補正方法】変更
【補正の内容】
【発明の詳細な説明】
【技術分野】
【０００１】
この出願は、通信技術の分野、詳細には、ダウンリンク制御情報（DCI）伝送方法、ネットワークデバイス、およびユーザ機器に関する。
【背景技術】
【０００２】
モノのインターネット技術の急速な発展に伴い、大量の機械型通信デバイスがネットワークに配備されている。ネットワークは、通常、ソフトウェアアップグレードを要求する。そのようなソフトウェアアップグレードは、複数のユーザが同じデータを同時に受信することを要求する。モバイルネットワークリソースを効果的に使用するために、第3世代パートナーシッププロジェクト（3GPP、3rd Generation Partnership Project）は、マルチメディア・ブロードキャスト・マルチキャスト・サービス（Multimedia Broadcast Multicast Service、MBMS）を提案している。MBMSは、リソース共有機能を実装し、リソース利用を改善するために、1つのデータソースから複数のターゲットモバイル端末にデータを伝送するための技術である。既存のMBMSデータのために、ポイントツーマルチポイント（point to multipoint、PTM）伝送方式が使用されることが可能であり、PTM伝送方式では、マルチキャスト制御チャネル（multicast control channel、MCCH）およびマルチキャスト・トラフィック・チャネル（multicast traffic channel、MTCH）が使用される。実際の通信では、MTCHがスケジューリングされているとき、次の変更期間内でMTCHの構成が変化するかどうかを示す指示情報、および次の変更期間内で新しいサービス（new service）が始まるかどうかを示す指示情報が追加される必要がある。既存の技術的解決策では、これを実装するために、ダウンリンク制御情報（downlink control information、DCI）に2ビットが追加される。具体的には、1ビットは、次の変更期間内でMTCHの構成が変化するかどうかを示すために使用され、他のビットは、次の変更期間内でMTCHにおいて新しいサービスが始まるかどうかを示すために使用される。しかしながら、これは、DCIのビットオーバーヘッドを増加させ、制御チャネル伝送性能を低下させる。
【発明の概要】
【課題を解決するための手段】
【０００３】
本出願の実施形態は、ダウンリンク制御情報（DCI）伝送方法、ネットワークデバイス、およびユーザ機器を提供する。このようにして、MTCHの構成情報が変化することを示す指示が、DCIにビットを追加することなくDCI内に実装され、それによって、制御チャネル伝送性能が改善される。
【０００４】
第1の態様によれば、本発明の一実施形態は、
ネットワークデバイスにより、第1のDCIフォーマットでDCIを伝送するステップと、DCIがマルチキャスト・トラフィック・チャネルを搬送する物理ダウンリンク共有チャネル（PDSCH）をスケジューリングするために使用されるとき、ネットワークデバイスにより、第1の無線ネットワーク一時識別子（RNTI）を使用することによって、DCIがマルチキャスト・トラフィック・チャネルを搬送するPDSCHをスケジューリングするために使用されること、および第1の情報がDCI内で示され、第2の情報がDCI内で示されないことを示すステップと、DCIがユーザ機器固有（UE固有）のPDSCHをスケジューリングするために使用されるとき、ネットワークデバイスにより、第2のRNTIを使用することによって、DCIがUE固有のPDSCHをスケジューリングするために使用されること、および第1の情報がDCI内で示されず、第2の情報がDCI内で示されることを示すステップと、を含む、ダウンリンク制御情報（DCI）伝送方法を提供する。
【０００５】
第1の態様では、ネットワークデバイスは第1のDCIフォーマットでDCIを伝送する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【０００６】
可能な実施形態では、DCIがランダムアクセス応答メッセージを搬送するPDSCHをスケジューリングするために使用されるとき、ネットワークデバイスは、第3のRNTIを使用することによって、DCIがランダムアクセス応答メッセージを搬送するPDSCHをスケジューリングするために使用されること、および第1の情報も第2の情報もDCI内で示されないことを示す。
【０００７】
可能な実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０００８】
可能な実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０００９】
可能な実施形態では、第1のフィールドに含まれるビットのDCI内のビット位置は、第2のフィールドに含まれるビットのDCI内のビット位置と同じである。
【００１０】
可能な実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００１１】
可能な実施形態では、DCIは第5のフィールドを含み、DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用され、またはDCIがランダムアクセス応答メッセージを搬送するPDSCHをスケジューリングするために使用されるとき、第5のフィールドのビットは予約ビットである。
【００１２】
可能な実施形態では、第2の情報はハイブリッド自動再送要求肯定応答リソースオフセット（HARQ-ACK resource offset）であり、または第2の情報は新しいデータインジケータ（NDI）であり、または第2の情報は伝送電力制御（TPC）であり、または第2の情報はハイブリッド自動再送要求プロセス番号（HARQ process number）である。
【００１３】
可能な実施形態では、第5のフィールドは第2の情報を示すために使用されるフィールドである。
【００１４】
第2の態様によれば、本発明の一実施形態は、
ユーザ機器により、第1のDCIフォーマットでDCIを受信するステップであって、受信されたDCIの巡回冗長符号（CRC）が第1の無線ネットワーク一時識別子（RNTI）を使用することによってスクランブルされているとき、DCIがマルチキャスト・トラフィック・チャネルを搬送する物理ダウンリンク共有チャネル（PDSCH）をスケジューリングするために使用され、第1の情報がDCI内で示され、第2の情報がDCI内で示されず、受信されたDCIのCRCが第2のRNTIを使用することによってスクランブルされているとき、DCIがユーザ機器固有（UE固有）のPDSCHをスケジューリングするために使用され、第1の情報がDCI内で示されず、第2の情報がDCI内で示される、ステップを含む、ダウンリンク制御情報（DCI）伝送方法を提供する。
【００１５】
第2の態様では、ユーザ機器は第1のDCIフォーマットでDCIを受信する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００１６】
可能な実施形態では、受信されたDCIのCRCが第3のRNTIを使用することによってスクランブルされているとき、DCIはランダムアクセス応答メッセージを搬送するPDSCHをスケジューリングするために使用され、第1の情報も第2の情報もDCI内で示されない。
【００１７】
可能な実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００１８】
可能な実施形態では、DCIは第1のフィールドまたは第2のフィールドを含み、DCIがマルチキャスト・トラフィック・チャネルを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００１９】
可能な実施形態では、第1のフィールドに含まれるビットのDCI内のビット位置は、第2のフィールドに含まれるビットのDCI内のビット位置と同じである。
【００２０】
可能な実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００２１】
可能な実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用され、またはDCIがランダムアクセス応答メッセージを搬送するPDSCHをスケジューリングするために使用されるとき、第5のフィールドのビットは予約ビットである。
【００２２】
可能な実施形態では、第2の情報はハイブリッド自動再送要求肯定応答リソースオフセット（HARQ-ACK resource offset）であり、または第2の情報は新しいデータインジケータ（NDI）であり、または第2の情報は伝送電力制御（TPC）であり、または第2の情報はハイブリッド自動再送要求プロセス番号（HARQ process number）である。
【００２３】
可能な実施形態では、第5のフィールドは第2の情報を示すために使用されるフィールドである。
【００２４】
第3の態様によれば、本発明の一実施形態は、伝送モジュールおよび指示モジュールを含むネットワークデバイスを提供する。
【００２５】
伝送モジュールは、第1のDCIフォーマットでDCIを伝送するように構成される。
【００２６】
指示モジュールは、DCIがマルチキャスト・トラフィック・チャネルを搬送する物理ダウンリンク共有チャネル（PDSCH）をスケジューリングするために使用されるとき、第1の無線ネットワーク一時識別子（RNTI）を使用することによって、DCIがマルチキャスト・トラフィック・チャネルを搬送するPDSCHをスケジューリングするために使用されること、および第1の情報がDCI内で示され、第2の情報がDCI内で示されないことを示すように構成される。
【００２７】
指示モジュールは、DCIがユーザ機器固有（UE固有）のPDSCHをスケジューリングするために使用されるとき、第2のRNTIを使用することによって、DCIがUE固有のPDSCHをスケジューリングするために使用されること、および第1の情報がDCI内で示されず、第2の情報がDCI内で示されることを示すようにさらに構成される。
【００２８】
第3の態様では、ネットワークデバイスは第1のDCIフォーマットでDCIを伝送する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００２９】
任意選択の実施形態では、指示モジュールは、DCIがランダムアクセス応答メッセージを搬送するPDSCHをスケジューリングするために使用されるとき、第3のRNTIを使用することによって、DCIがランダムアクセス応答メッセージを搬送するPDSCHをスケジューリングするために使用されること、および第1の情報も第2の情報もDCI内で示されないことを示すようにさらに構成される。
【００３０】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００３１】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００３２】
任意選択の実施形態では、第1のフィールドに含まれるビットのDCI内のビット位置は、第2のフィールドに含まれるビットのDCI内のビット位置と同じである。
【００３３】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００３４】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【００３５】
任意選択の実施形態では、第2の情報はハイブリッド自動再送要求肯定応答リソースオフセット（HARQ-ACK resource offset）であり、または
第2の情報は新しいデータインジケータ（NDI）であり、または
第2の情報は伝送電力制御（TPC）であり、または
第2の情報はハイブリッド自動再送要求プロセス番号（HARQ process number）である。
【００３６】
任意選択の実施形態では、第5のフィールドは第2の情報を示すために使用されるフィールドである。
【００３７】
可能な設計では、ネットワークデバイスの構造はプロセッサおよびトランシーバを含み、トランシーバはプロセッサと通信可能に接続され、プロセッサは、この出願の第1の態様において提供されたダウンリンク制御情報伝送方法を実行するように構成される。任意選択で、構造はメモリをさらに含んでもよく、メモリは、上記の方法を実行する際にネットワークデバイスをサポートするアプリケーションプログラムコードを記憶するように構成され、プロセッサは、メモリに記憶されたアプリケーションプログラムコードを実行するように構成される。
【００３８】
第4の態様によれば、本発明の一実施形態は、受信モジュールおよび判断モジュールを含むユーザ機器を提供する。
【００３９】
受信モジュールは、第1のDCIフォーマットでDCIを受信するように構成される。
【００４０】
判断モジュールは、受信されたDCIの巡回冗長符号（CRC）が第1の無線ネットワーク一時識別子（RNTI）を使用することによってスクランブルされているとき、DCIがマルチキャスト・トラフィック・チャネルを搬送する物理ダウンリンク共有チャネル（PDSCH）をスケジューリングするために使用され、第1の情報がDCI内で示され、第2の情報がDCI内で示されないと判断するように構成される。
【００４１】
判断モジュールは、受信されたDCIのCRCが第2のRNTIを使用することによってスクランブルされているとき、DCIがユーザ機器固有（UE固有）のPDSCHをスケジューリングするために使用され、第1の情報がDCI内で示されず、第2の情報がDCI内で示されると判断するようにさらに構成される。
【００４２】
第4の態様では、ユーザ機器は第1のDCIフォーマットでDCIを受信する。このようにして、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００４３】
任意選択の実施形態では、判断モジュールは、受信されたDCIのCRCが第3のRNTIを使用することによってスクランブルされているとき、DCIがランダムアクセス応答メッセージを搬送するPDSCHをスケジューリングするために使用され、第1の情報も第2の情報もDCI内で示されないと判断するようにさらに構成される。
【００４４】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【００４５】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【００４６】
任意選択の実施形態では、第1のフィールドに含まれるビットのDCI内のビット位置は、第2のフィールドに含まれるビットのDCI内のビット位置と同じである。
【００４７】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【００４８】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【００４９】
任意選択の実施形態では、第2の情報はハイブリッド自動再送要求肯定応答リソースオフセット（HARQ-ACK resource offset）であり、または
第2の情報は新しいデータインジケータ（NDI）であり、または
第2の情報は伝送電力制御（TPC）であり、または
第2の情報はハイブリッド自動再送要求プロセス番号（HARQ process number）である。
【００５０】
任意選択の実施形態では、第5のフィールドは第2の情報を示すために使用されるフィールドである。
【００５１】
可能な設計では、ユーザ機器の構造はプロセッサおよびトランシーバを含み、トランシーバはプロセッサと通信可能に接続され、プロセッサは、この出願の第2の態様において提供された方法を実行するように構成される。任意選択で、構造はメモリをさらに含んでもよく、メモリは、上記の方法を実行する際にユーザ機器をサポートするアプリケーションプログラムコードを記憶するように構成され、プロセッサは、メモリに記憶されたアプリケーションプログラムコードを実行するように構成される。
【００５２】
第5の態様によれば、本発明の一実施形態は、上記のネットワークデバイスによって使用されるコンピュータソフトウェア命令を記憶するように構成されたコンピュータ記憶媒体を提供し、コンピュータソフトウェア命令は、上記の態様を実行するために設計されたプログラムを含む。
【００５３】
第6の態様によれば、本発明の一実施形態は、上記のユーザ機器によって使用されるコンピュータソフトウェア命令を記憶するように構成されたコンピュータ記憶媒体を提供し、コンピュータソフトウェア命令は、上記の態様を実行するために設計されたプログラムを含む。
【００５４】
本発明の実施形態では、ネットワークデバイスおよびユーザ機器の名前はデバイスに対する制限を構成しない。実際の実装形態では、これらのデバイスは、デバイスの機能がこの出願における機能と同様であり、この出願における請求項およびそれらの等価な技術の範囲内にあるという条件で、他の名前で現れてもよい。
【００５５】
本発明の実施形態では、DCIが異なるPDSCHをスケジューリングするために使用されるとき、DCI内で示される必要がある情報はDCI内で示される必要がない情報と異なり、示される必要がある情報は、ビットの数を増加させることなく伝送されることができ、それにより、制御チャネル伝送性能を改善する。
【００５６】
本発明の実施形態または背景技術における技術的解決策をより明確に説明するために、以下は、本発明の実施形態または背景技術を説明するために要求される添付図面を簡単に説明する。
【図面の簡単な説明】
【００５７】
【図１】本発明の一実施形態による、可能なネットワークアーキテクチャの図である。
【図２】本発明の一実施形態による、ダウンリンク制御情報（DCI）伝送方法の概略フローチャートである。
【図３】本発明の一実施形態による、ビット位置の一例の図である。
【図４】本発明の一実施形態による、ビット位置の別の例の図である。
【図５】本発明の一実施形態による、ネットワークデバイスの概略構造図である。
【図６】本発明の一実施形態による、別のネットワークデバイスの概略構造図である。
【図７】本発明の一実施形態による、ユーザ機器の概略構造図である。
【図８】本発明の一実施形態による、別のユーザ機器の概略構造図である。
【発明を実施するための形態】
【００５８】
以下は、本発明の実施形態における添付図面を参照して、本発明の実施形態を説明する。
【００５９】
図1は、本発明の一実施形態による、可能なネットワークアーキテクチャの図である。図1に表されたように、ネットワークアーキテクチャは、基地局（base station、BS）、および複数のユーザ機器（user equipment、UE）、たとえば、UE1、UE2、…、およびUE6を含む。基地局およびUE1からUE6は通信システムを形成し、基地局がUE1からUE6のうちの1つ以上にスケジューリングメッセージを送信し得る。加えて、UE4からUE6も通信システムを形成することが可能であり、この通信システムでは、UE5がUE4およびUE6のうちの1つ以上にスケジューリング情報を送信し得る。
【００６０】
マルチメディア・ブロードキャスト・マルチキャスト・サービス（multimedia broadcast multicast service、MBMS）は、モバイルネットワークリソースを効果的に利用するために、1つのデータソースから複数のターゲットモバイル端末にデータを伝送するための技術である。
【００６１】
既存のマルチメディア・ブロードキャスト・マルチキャスト・サービスのために、ポイントツーマルチポイント（point to multipoint、PTM）伝送方式が使用される。既存のPTMでは、MCCHのいくつかの構成情報は、システム情報ブロック（system information block、SIB）、たとえば、SIB20を使用することによって示される。UEはSIB20の構成に基づいてMCCHを受信する。具体的には、UEは、まず、SIB20の構成に基づいて、物理ダウンリンク共有チャネル（physical downlink shared channel、PDSCH）をスケジューリングするために使用される物理ダウンリンク制御チャネル（physical downlink control channel、PDCCH）を受信する。PDSCHはMCCHを搬送する。PDCCHを検出することに成功した後、UEはMCCHを搬送するデータチャネルをさらに検出する。UEがMCCHを搬送するデータチャネルを検出することに成功した後、UEはMCCHによって示されたMTCHの構成情報を知る。そして、UEはPDSCHをスケジューリングするために使用される制御チャネルを検出し、PDSCHはMTCHを搬送する。制御チャネルを検出することに成功した後、UEはMTCHを搬送するデータチャネルをさらに検出する。MTCHはマルチキャスト情報を示すので、基地局はMTCHを通してUEとのマルチキャスト通信を実行する。
【００６２】
実際の通信では、MTCHの構成は変化し得る。たとえば、MTCHの構成は次の変更期間内で変化することがあり、新しいサービスは次の変更期間内で始まることがある。先行技術では、次の変更期間内でMTCHの構成が変化するかどうかを示すために、MTCHをスケジューリングするために使用されるダウンリンク制御情報（DCI）に追加ビットが追加され、次の変更期間内で新しいサービスが始まるかどうかを示すために、別の追加ビットが追加される。しかしながら、これは、DCIのビットオーバーヘッドを増加させ、制御チャネル伝送性能を低下させる。本発明の実施形態では、DCIは第1のDCIフォーマットで伝送され、DCIがマルチキャスト・トラフィック・チャネルを搬送する物理ダウンリンク共有チャネル（PDSCH）をスケジューリングするために使用されるとき、DCIがマルチキャスト・トラフィック・チャネルを搬送するPDSCHをスケジューリングするために使用されること、および第1の情報がDCI内で示され、第2の情報がDCI内で示されないことを示すために第1の無線ネットワーク一時識別子（RNTI）が使用され、DCIがユーザ機器固有（UE固有）のPDSCHをスケジューリングするために使用されるとき、DCIがUE固有のPDSCHをスケジューリングするために使用されること、および第1の情報がDCI内で示されず、第2の情報がDCI内で示されることを示すために第2のRNTIが使用される。このようにして、MTCHの構成情報が変化することを示す指示は、DCIにビットを追加することなくDCI内に実装され、それによって、制御チャネル伝送性能が改善される。
【００６３】
この出願の明細書、請求項、および添付図面において、用語「第1」、「第2」、「第3」、「第4」、および同様のものは、異なる対象の間で区別することが意図されるが、特定の順序を示さない。加えて、用語「含む」、「有する」、またはそれらの任意の他の変形は、排他的でない包含をカバーすることが意図される。たとえば、一連のステップまたはユニットを含むプロセス、方法、システム、製品、またはデバイスは、列挙されたステップまたはユニットに限定されないが、任意選択で、列挙されていないステップまたはユニットをさらに含み、または任意選択で、プロセス、方法、製品、またはデバイスの別の本来備わっているステップまたはユニットをさらに含む。
【００６４】
本発明の実施形態は、DCIが生成され伝送される必要がある別の通信システム、たとえば、発展型パケットシステム（evolved packet system、EPS）、モバイル通信のためのグローバルシステム（Global System of Mobile communications、GSM（登録商標））、符号分割多元接続（Code Division Multiple Access、CDMA）システム、広帯域符号分割多元接続（Wideband Code Division Multiple Access、WCDMA（登録商標））システム、汎用パケット無線サービス（general packet radio service、GPRS）システム、LTE周波数分割複信（frequency division duplex、FDD）システム、またはLTE時分割複信（time division duplex、TDD）システムに適用され得る。
【００６５】
本発明の実施形態では、ユーザ機器は、限定はしないが、端末（terminal）、移動局（mobile station、MS）、および同様のものを含んでもよく、または携帯電話（または「セルラー」フォンと呼ばれる）であってもよく、またはポータブルの、ポケットサイズの、ハンドヘルドの、コンピュータ内蔵の、または車載の、モバイル装置（スマートバンド、スマートウォッチ、スマートグラス、または同様のもの）であってもよい。
【００６６】
図1に表されたネットワークアーキテクチャに基づいて、本発明の実施形態におけるネットワークデバイスおよびユーザ機器は、デバイスの機能が本発明における機能と同様であり、本発明における請求項およびそれらの等価な技術の範囲内にあるという条件で、他の名前で現れてもよい。
【００６７】
図2は、本発明の一実施形態による、ダウンリンク制御情報（DCI）伝送方法の概略フローチャートである。図2に表されたように、本発明のこの実施形態におけるDCI伝送方法は、ユーザ機器と、基地局のようなネットワークデバイスの両方によって実行される。具体的なプロセスについて、以下の詳細な説明を参照されたい。
【００６８】
101．基地局が第1のDCIフォーマットでDCIを伝送する。
【００６９】
具体的には、第1のDCIフォーマットは既存のDCIフォーマットであってもよい。たとえば、第1のDCIフォーマットは、DCI format 6-1AまたはDCI format 6-1Bである。その代わりに、第1のDCIフォーマットは新しく定義されたDCIフォーマットである。たとえば、第1のDCIフォーマットは、DCI format 6-3A、DCI format 6-3B、DCI format 7-1A、またはDCI format 7-1Bである。これは、本発明のこの実施形態では限定されない。
【００７０】
さらに、第1のDCIフォーマットでのDCIは、複数のPDSCHをスケジューリングするために使用されてもよい。たとえば、DCIは、マルチキャスト・トラフィック・チャネル（MTCH）を搬送するPDSCHをスケジューリングするために使用され、またはDCIは、ユーザ機器固有のPDSCHをスケジューリングするために使用され、またはDCIは、ランダムアクセス応答メッセージを搬送するPDSCHをスケジューリングするために使用される。基地局は、異なる無線ネットワーク一時識別子（radio network temporary identifier、RNTI）を使用することによって、DCIが異なるPDSCHをスケジューリングするために使用されることを示し得る。具体的には、基地局は、異なるPDSCHをスケジューリングするために、異なるRNTIを使用することによってDCIの巡回冗長符号（cyclic redundancy code、CRC）をスクランブルする。
【００７１】
たとえば、ステップ103において、DCIがMTCHを搬送するPDSCHをスケジューリングするために使用されるならば、基地局は、第1のRNTIを使用することによって、DCIがMTCHを搬送するPDSCHをスケジューリングするために使用されることを示し得る。この場合、DCI内で、第1の情報は示され、第2の情報は示されない。たとえば、ステップ104において、DCIがユーザ機器固有のPDSCHをスケジューリングするために使用されるならば、基地局は、第2のRNTIを使用することによって、DCIがUE固有のPDSCHをスケジューリングするために使用されることを示し得る。この場合、DCI内で、第2の情報は示され、第1の情報は示されない。
【００７２】
任意選択で、DCIがランダムアクセス応答メッセージを搬送するPDSCHをスケジューリングするために使用されるならば、基地局は、第3のRNTIを使用することによって、DCIがランダムアクセス応答メッセージを搬送するPDSCHをスケジューリングするために使用されることを示し得る。この場合、DCI内で、第1の情報も第2の情報も示されない。
【００７３】
第1の情報は、MTCHが変化するかどうかを示すために使用される情報である。たとえば、第1の情報は、以下のうちの少なくとも1つ、すなわち、次の変更期間内でMTCHの構成が変化するかどうか、または次の変更期間内でMTCHにおいて新しいサービスが始まるかどうか、を示すために使用される。任意選択で、第1の情報はDCI内で1ビットまたは2ビットを占有してもよい。
【００７４】
可能な実施形態では、第1の情報のサイズは1ビットであり、第1の情報は、次の変更期間内でMTCHの構成が変化するかどうかを示すために使用される。具体的には、第1の情報のビットのステータスが0であるとき、それは、次の変更期間内でMTCHの構成が変化しないままであることを示し、第1の情報のビットのステータスが1であるとき、それは、次の変更期間内でMTCHの構成が変化することを示す。その代わりに、第1の情報のビットのステータスが1であるとき、それは、次の変更期間内でMTCHの構成が変化しないままであることを示し、第1の情報のビットのステータスが0であるとき、それは、次の変更期間内でMTCHの構成が変化することを示す。
【００７５】
可能な実施形態では、第1の情報のサイズは1ビットであり、第1の情報は、次の変更期間内でMTCHにおいて新しいサービスが始まるかどうかを示すために使用される。具体的には、第1の情報のビットのステータスが0であるとき、それは、次の変更期間内でMTCHにおいて新しいサービスが始まることを示し、第1の情報のビットのステータスが1であるとき、それは、次の変更期間内でMTCHにおいて新しいサービスが始まらないことを示す。その代わりに、第1の情報のビットのステータスが1であるとき、それは、次の変更期間内でMTCHにおいて新しいサービスが始まることを示し、第1の情報のビットのステータスが0であるとき、それは、次の変更期間内でMTCHにおいて新しいサービスが始まらないことを示す。
【００７６】
可能な実施形態では、第1の情報のサイズは2ビットであり、第1の情報は第3の情報および第4の情報のみを含み、第3の情報のサイズは1ビットであり、第4の情報のサイズは1ビットである。第3の情報は、次の変更期間内でMTCHの構成が変化するかどうかを示すために使用される。第4の情報は、次の変更期間内でMTCHにおいて新しいサービスが始まるかどうかを示すために使用される。第3の情報について、第3の情報のビットのステータスが0であるとき、それは、次の変更期間内でMTCHの構成が変化しないままであることを示し、第3の情報のビットのステータスが1であるとき、それは、次の変更期間内でMTCHの構成が変化することを示す。その代わりに、第3の情報のビットのステータスが1であるとき、それは、次の変更期間内でMTCHの構成が変化しないままであることを示し、第3の情報のビットのステータスが0であるとき、それは、次の変更期間内でMTCHの構成が変化することを示す。第4の情報について、第4の情報のビットのステータスが0であるとき、それは、次の変更期間内でMTCHにおいて新しいサービスが始まることを示し、第4の情報のビットのステータスが1であるとき、それは、次の変更期間内でMTCHにおいて新しいサービスが始まらないことを示す。その代わりに、第4の情報のビットのステータスが1であるとき、それは、次の変更期間内でMTCHにおいて新しいサービスが始まることを示し、第4の情報のビットのステータスが0であるとき、それは、次の変更期間内でMTCHにおいて新しいサービスが始まらないことを示す。
【００７７】
可能な実施形態では、第1の情報のサイズは2ビットであり、第1の情報の2ビットは、次の変更期間内でMTCHの構成が変化するかどうか、および次の変更期間内でMTCHにおいて新しいサービスが始まるかどうかを一緒に示すために使用される。たとえば、2ビットは、00、01、10、および11のような4つの状態に対応する。4つの状態は、異なる情報にそれぞれ対応する。下記の表1は可能な対応関係を表す。別の可能な対応関係は、本発明のこの実施形態では限定されない。
【００７８】
【表１】
2020504578.tif 000012
【００７９】
さらに、本発明のこの実施形態では、DCIが異なるPDSCHをスケジューリングするために使用されるとき、DCI内で示される必要がある情報は、DCI内で示される必要がない情報と異なることが留意されるべきである。依然として使用されることができるDCI内のビットの数は、示される必要がない情報を使用することによって判断され、対応するビットの数は、示される必要がある情報を示すために使用される。このようにして、示される必要がある情報は、ビットの数を増加させることなく伝送されることができ、それにより、制御チャネル伝送性能を改善する。
【００８０】
そのような考察に基づいて、第1の情報がDCI内で示されるとき、DCI内で示される必要がない第2の情報は、限定はしないが、ハイブリッド自動再送要求肯定応答リソースオフセット（HARQ-ACK resource offset）、新しいデータインジケータ（new data indicator、NDI）、伝送電力制御（transmit power control、TPC）、およびハイブリッド自動再送要求プロセス番号（HARQ process number）のうちのいずれか1つを含んでもよい。HARQは、ハイブリッド自動再送要求（hybrid automatic repeat request）である。詳細について、以下の分析を参照されたい。
【００８１】
可能な実施形態では、第2の情報がHARQ-ACK resource offsetであるとき、DCIがMTCHを搬送するPDSCHをスケジューリングするために使用されるならば、UEは受信されたPDSCHに肯定応答する必要がないので、基地局は、DCI内でHARQ-ACK resource offsetを示す必要がない。したがって、第2の情報が示されないとき、第1の情報はDCI内で示されてもよい。さらに、DCIにビットを追加することなく、MTCHの構成情報が変化したことを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答する必要があるので、基地局は、DCI内に、HARQ-ACK resource offsetを示す情報を含める必要があり、それによって、肯定応答を要求する第2の情報は、DCI内で依然として示されることができる。
【００８２】
可能な実施形態では、第2の情報がNDIであるとき、DCIがMTCHを搬送するPDSCHをスケジューリングするために使用されるならば、基地局は、PDSCHが新しく伝送されたか、または再伝送されたかを示す必要がないので、基地局は、DCI内でNDIを示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、基地局は、送信されたPDSCHが新しく伝送されたか、または再伝送されたかを示す必要があるので、基地局は、DCI内に、NDIを示す情報を含める必要がある。
【００８３】
可能な実施形態では、第2の情報がTPCであるとき、DCIがMTCHを搬送するPDSCHをスケジューリングするために使用されるならば、UEは受信されたPDSCHに肯定応答する必要がないので、基地局は、DCI内でPUCCHの伝送電力制御を示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答する必要があるので、基地局は、DCI内に、TPCを示す情報を含める必要がある。
【００８４】
可能な実施形態では、第2の情報がHARQ-ACK process numberであるとき、DCIがMTCHを搬送するPDSCHをスケジューリングするために使用されるならば、UEは受信されたPDSCHに肯定応答する必要がなく、HARQ結合を実行する必要がないので、基地局は、DCI内でHARQ process numberを示す必要がない。したがって、第2の情報が示されないとき、第1の情報はDCIに追加され、DCI内で示されてもよい。さらに、DCIにビットを追加することなく、MTCHの構成情報が変化することを示す指示がDCI内に実装され、それによって、制御チャネル伝送性能が改善される。DCIがユーザ機器固有のPDSCHをスケジューリングするために使用されるならば、UEはMTCHをスケジューリングしないので、第1の情報はDCI内で示される必要がなく、UEは受信されたPDSCHに肯定応答し、HARQ結合を実行する必要があるので、基地局は、DCI内に、HARQ process numberを示す情報を含める必要がある。
【００８５】
可能な実施形態では、上記の例における第1の情報および第2の情報は、異なるフィールドを使用することによってDCI内で示されてもよい。第1のフィールドは第1の情報を示すために使用され、第2のフィールドは第2の情報を示すために使用される。DCIがMTCHを搬送するPDSCHをスケジューリングするために使用されるとき、DCIは第1のフィールドを含み、第2のフィールドを含まず、またはDCIがUE固有のPDSCHをスケジューリングするために使用されるとき、DCIは第2のフィールドを含み、第1のフィールドを含まない。
【００８６】
任意選択で、第1のフィールドに含まれるビットのDCI内のビット位置は、第2のフィールドに含まれるビットのDCI内のビット位置と同じである。図3は、本発明の一実施形態による、ビット位置の一例の図である。一例として、第1の情報のサイズおよび第2の情報のサイズの各々が2ビットである場合を使用することによって説明が行われる。DCI内の第1のフィールドまたは第2のフィールドによって占有されるビット位置は、16番目のビット位置および17番目のビット位置である。DCIがMTCHを搬送するPDSCHをスケジューリングするために使用されるとき、DCI内の16番目のビット位置および17番目のビット位置は、第1の情報に対応するビット位置である。DCIがUE固有のPDSCHをスケジューリングするために使用されるとき、DCI内の16番目のビット位置および17番目のビット位置は、第2の情報に対応するビット位置である。DCI内の異なるフィールドが第1の情報および第2の情報を示すために使用されるとき、第1のフィールドに含まれるビットまたは第2のフィールドに含まれるビットを書き込むために固定されたビット位置が使用され、それによって、UEはDCI内の第1の情報および第2の情報を解釈することができ、それにより、解釈の効率を改善する。
【００８７】
別の可能な実施形態では、第1の情報または第2の情報を示すために、DCI内の同じフィールドが使用されてもよい。具体的には、DCIは第5のフィールドを含む。DCIがマルチキャスト・トラフィック・チャネルを搬送するPDSCHをスケジューリングするために使用されるとき、第5のフィールドは第1の情報を示すために使用され、またはDCIがUE固有のPDSCHをスケジューリングするために使用されるとき、第5のフィールドは第2の情報を示すために使用される、またはDCIがランダムアクセス応答メッセージを搬送するPDSCHをスケジューリングするために使用されるとき、第5のフィールドのビットは予約ビットである。
【００８８】
たとえば、図4は、本発明の一実施形態による、ビット位置の別の例の図である。図4に表されたように、第1の情報のサイズおよび第2の情報のサイズの各々が2ビットである場合を例として使用することによって、説明が行われる。DCI内の第5のフィールドによって占有されるビット位置は、16番目のビット位置および17番目のビット位置である。DCIがMTCHを搬送するPDSCHをスケジューリングするために使用されるとき、DCI内の16番目のビット位置および17番目のビット位置は第1の情報に対応するビット位置であり、またはDCIがUE固有のPDSCHをスケジューリングするために使用されるとき、DCI内の16番目のビット位置および17番目のビット位置は第2の情報に対応するビット位置であり、またはDCIがランダムアクセス応答メッセージを搬送するPDSCHをスケジューリングするために使用されるとき、DCI内の16番目のビット位置および17番目のビット位置は予約ビットの位置である。第1の情報によって占有されるフィールドは、第2の情報を示すフィールドであり、それにより、DCIのビットオーバーヘッドの増加を防止し、DCI伝送性能を改善し、リソース利用効率を最適化することが知られることができる。
【００８９】
102．ユーザ機器が第1のDCIフォーマットでDCIを受信する。
【００９０】
具体的には、DCIを受信するためにユーザ機器によって使用されるDCIフォーマットは、DCIを伝送するために基地局によって使用されるフォーマットと同じであり、第1のDCIフォーマットは、本発明のこの実施形態では限定されない。
【００９１】
さらに、ユーザ機器は、受信されたDCIの巡回冗長符号（cyclic redundancy code，CRC）をスクランブルするために使用されるRNTIを判断することによって、DCIを使用することによってスケジューリングされたPDSCHを判断し得る。
【００９２】
任意選択で、ユーザ機器がDCIを受信した後に、ステップ105が実行される。受信されたDCIのCRCが第1のRNTIを使用することによってスクランブルされているとユーザ機器が判断したならば、DCIはMTCHを搬送するPDSCHをスケジューリングするために使用され、第1の情報はDCI内で示され、第2の情報はDCI内で示されない。その代わりに、ユーザ機器がDCIを受信した後に、ステップ106が実行される。受信されたDCIのCRCが第2のRNTIを使用することによってスクランブルされているとユーザ機器が判断したならば、DCIはユーザ機器固有（UE固有）のPDSCHをスケジューリングするために使用され、第1の情報はDCI内で示されず、第2の情報はDCI内で示される。
【００９３】
任意選択で、受信されたDCIのCRCが第3のRNTIを使用することによってスクランブルされているとユーザ機器が判断したとき、DCIはランダムアクセス応答メッセージを搬送するPDSCHをスケジューリングするために使用され、第1の情報も第2の情報もDCI内で示されない。
【００９４】
DCIが異なるPDSCHをスケジューリングするために使用される場合について、基地局は、DCIに含まれるフィールド、含まれたフィールドによって示される情報、およびフィールドに含まれるビットのDCI内のビット位置を設定しており、情報は、また、ユーザ機器によって判断されてもよい。したがって、ユーザ機器が、DCIがスケジューリングするために使用されるPDSCHを判断した後に、DCIによって示される情報は、PDSCHに対応するDCIに含まれる指定されたフィールド、含まれたフィールドによって示される情報、およびフィールドに含まれるビットのDCI内のビット位置に基づいて判断されてもよい。
【００９５】
さらに、第1の情報、第2の情報、第1の情報を示すフィールド、および第2の情報を示すフィールドについて、基地局側について説明された内容を参照されたい。詳細は再びここで説明されない。
【００９６】
たとえば、図4に表されたビット位置の例の図では、第1の情報および第2の情報の各々のサイズは各々2ビットであり、DCI内の第5のフィールドによって占有されるビット位置は、16番目のビット位置および17番目のビット位置である。DCIがMTCHを搬送するPDSCHをスケジューリングするために使用されているとユーザ機器が判断するとき、ユーザ機器は、DCI内の16番目のビット位置および17番目のビット位置が第1の情報を示すと判断し、示された第1の情報をさらに判断するために、DCI内の16番目のビット位置および17番目のビット位置からビット値を取得し得る。DCIがユーザ機器固有のPDSCHをスケジューリングするために使用されているとユーザ機器が判断するとき、ユーザ機器は、DCI内の16番目のビット位置および17番目のビット位置が第2の情報を示すと判断し、示された第2の情報をさらに判断するために、DCI内の16番目のビット位置および17番目のビット位置からビット値を取得し得る。DCIがランダムアクセス応答メッセージを搬送するPDSCHをスケジューリングするために使用されているとユーザ機器が判断するとき、ユーザ機器は、16番目のビット位置および17番目のビット位置が予約ビットの位置であると判断し得る。
【００９７】
本発明のこの実施形態では、マルチキャスト・トラフィック・チャネルは、シングルキャリアマルチキャスト制御チャネル（single-carrier multicast control channel、SC-MCCH）であってもよいことが留意されるべきである。これは本発明のこの実施形態では限定されない。
【００９８】
本発明のこの実施形態では、基地局は第1のDCIフォーマットでDCIを伝送する。DCIがMTCHを搬送するPDSCHをスケジューリングするために使用されるとき、基地局は、第1のRNTIを使用することによって、DCIがMTCHを搬送するPDSCHをスケジューリングするために使用されること、および第1の情報がDCI内で示され、第2の情報がDCI内で示されないことを示す。DCIがユーザ機器固有（UE固有）のPDSCHをスケジューリングするために使用されるとき、基地局は、第2のRNTIを使用することによって、DCIがUE固有のPDSCHをスケジューリングするために使用されること、および第1の情報がDCI内で示されず、第2の情報がDCI内で示されることを示す。このようにして、DCIが異なるPDSCHをスケジューリングするために使用されるとき、DCI内で示される必要がある情報は、DCI内で示される必要がない情報と異なる。したがって、依然として使用されることができるDCI内のビットの数は、示される必要がない情報を使用することによって判断され、対応するビットの数は、示される必要がある情報を示すために使用され、それによって、示される必要がある情報は、ビットの数を増加させることなく伝送されることができ、それにより、制御チャネル伝送性能を改善する。
【００９９】
図5は、本発明の一実施形態による、ネットワークデバイスの概略構造図である。本発明のこの実施形態におけるネットワークデバイスは、図2から図4に表された任意の実施形態において提供されたネットワークデバイスであり得る。図5に表されたように、本発明のこの実施形態におけるネットワークデバイス1は、伝送モジュール11および指示モジュール12を含み得る。
【０１００】
伝送モジュール11は、第1のDCIフォーマットでDCIを伝送するように構成される。
【０１０１】
指示モジュール12は、DCIがマルチキャスト・トラフィック・チャネルを搬送する物理ダウンリンク共有チャネル（PDSCH）をスケジューリングするために使用されるとき、第1の無線ネットワーク一時識別子（RNTI）を使用することによって、DCIがマルチキャスト・トラフィック・チャネルを搬送するPDSCHをスケジューリングするために使用されること、および第1の情報がDCI内で示され、第2の情報がDCI内で示されないことを示すように構成される。
【０１０２】
指示モジュール12は、DCIがユーザ機器固有（UE固有）のPDSCHをスケジューリングするために使用されるとき、第2のRNTIを使用することによって、DCIがUE固有のPDSCHをスケジューリングするために使用されること、および第1の情報がDCI内で示されず、第2の情報がDCI内で示されることを示すようにさらに構成される。
【０１０３】
任意選択の実施形態では、指示モジュール12は、DCIがランダムアクセス応答メッセージを搬送するPDSCHをスケジューリングするために使用されるとき、第3のRNTIを使用することによって、DCIがランダムアクセス応答メッセージを搬送するPDSCHをスケジューリングするために使用されること、および第1の情報も第2の情報もDCI内で示されないことを示すようにさらに構成される。
【０１０４】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０１０５】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０１０６】
任意選択の実施形態では、第1のフィールドに含まれるビットのDCI内のビット位置は、第2のフィールドに含まれるビットのDCI内のビット位置と同じである。
【０１０７】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【０１０８】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【０１０９】
任意選択の実施形態では、第2の情報はハイブリッド自動再送要求肯定応答リソースオフセット（HARQ-ACK resource offset）であり、または
第2の情報は新しいデータインジケータ（NDI）であり、または
第2の情報は伝送電力制御（TPC）であり、または
第2の情報はハイブリッド自動再送要求プロセス番号（HARQ process number）である。
【０１１０】
任意選択の実施形態では、第5のフィールドは第2の情報を示すために使用されるフィールドである。
【０１１１】
図5に表された実施形態におけるネットワークデバイスは、図6に表されたネットワークデバイスを使用することによって実装されてもよい。図6は、本発明の一実施形態による、ネットワークデバイスの概略構造図である。図6に表されたネットワークデバイス600は、プロセッサ601およびトランシーバ602を含む。プロセッサ601は、たとえば、バスを使用することによってトランシーバ602と通信可能に接続される。任意選択で、ネットワークデバイス600はメモリ603をさらに含んでもよい。実際の適用では、少なくとも1つのトランシーバ602があり、ネットワークデバイス600の構造は、本発明のこの実施形態に対して何も限定を構成しないことが留意されるべきである。
【０１１２】
プロセッサ601は、本発明のこの実施形態に適用され、図5に表された指示モジュール12の機能を実装するように構成される。トランシーバ602は、本発明のこの実施形態に適用され、図5に表された伝送モジュール11の機能を実装するように構成される。任意選択で、トランシーバ602は受信機および送信機を含む。
【０１１３】
プロセッサ601は、中央処理ユニット（central processing unit、CPU）、汎用プロセッサ、デジタル信号プロセッサ（digital signal processor、DSP）、特定用途向け集積回路（application specific integrated circuit、ASIC）、フィールド・プログラマブル・ゲート・アレイ（field-programmable gate array、FPGA）または別のプログラマブル論理デバイス、トランジスタ論理デバイス、ハードウェア構成要素、またはそれらの任意の組み合わせであり得る。プロセッサ601は、この出願に開示された内容を参照して説明された論理ブロック、モジュール、および回路の様々な例を実装または実行し得る。その代わりに、プロセッサ601は、計算機能を実装するプロセッサの組み合わせ、たとえば、1つ以上のマイクロプロセッサの組み合わせ、またはDSPとマイクロプロセッサの組み合わせであってもよい。
【０１１４】
メモリ603は、リードオンリメモリ（read-only memory、ROM）または静的な情報および命令を記憶することができる別のタイプの静的記憶デバイス、またはランダムアクセスメモリ（random access memory、RAM）または情報および命令を記憶することができる別のタイプの動的記憶デバイスであってもよく、または電気的消去可能プログラマブル・リードオンリメモリ（electrically erasable programmable read-only memory、EEPROM）、コンパクトディスク・リードオンリメモリ（compact disc read-only memory、CD-ROM）または他のコンパクトディスクストレージ、（コンパクトディスク、レーザーディスク（登録商標）、光ディスク、デジタル多用途ディスク、ブルーレイディスク、または同様のものを含む）光ディスク記憶、ディスク記憶媒体または別の磁気記憶デバイス、または命令またはデータ構造の形式で予想されるプログラムコードを搬送または記憶するために使用されることができる任意の他のコンピュータアクセス可能媒体であってもよい。しかしながら、これはここでは限定されない。
【０１１５】
任意選択で、メモリ603は、この出願の解決策を実行するために使用されるアプリケーションプログラムコードを記憶するように構成され、プロセッサ601は実行を制御する。プロセッサ601は、図2から図4に表された任意の実施形態において提供されたネットワークデバイスの動作を実装するために、メモリ603に記憶されたアプリケーションプログラムコードを実行するように構成される。
【０１１６】
本発明の一実施形態は、上記のネットワークデバイスによって使用されるコンピュータソフトウェア命令を記憶するように構成されたコンピュータ記憶媒体をさらに提供し、コンピュータソフトウェア命令は、ネットワークデバイスが上記の実施形態を実行するために設計されたプログラムを含む。
【０１１７】
図7は、本発明の一実施形態による、ユーザ機器の概略構造図である。本発明のこの実施形態におけるユーザ機器は、図2から図4に表された任意の実施形態において提供されたユーザ機器であってもよい。図7に表されたように、本発明のこの実施形態におけるユーザ機器2は、受信モジュール21および判断モジュール22を含み得る。
【０１１８】
受信モジュール21は、第1のDCIフォーマットでDCIを受信するように構成される。
【０１１９】
判断モジュール22は、受信されたDCIの巡回冗長符号（CRC）が第1の無線ネットワーク一時識別子（RNTI）を使用することによってスクランブルされているとき、DCIがマルチキャスト・トラフィック・チャネルを搬送する物理ダウンリンク共有チャネル（PDSCH）をスケジューリングするために使用され、第1の情報がDCI内で示され、第2の情報がDCI内で示されないと判断するように構成される。
【０１２０】
判断モジュール22は、受信されたDCIのCRCが第2のRNTIを使用することによってスクランブルされているとき、DCIがユーザ機器固有（UE固有）のPDSCHをスケジューリングするために使用され、第1の情報がDCI内で示されず、第2の情報がDCI内で示されると判断するようにさらに構成される。
【０１２１】
任意選択の実施形態では、判断モジュール22は、受信されたDCIのCRCが第3のRNTIを使用することによってスクランブルされているとき、DCIがランダムアクセス応答メッセージを搬送するPDSCHをスケジューリングするために使用され、第1の情報も第2の情報もDCI内で示されないと判断するようにさらに構成される。
【０１２２】
任意選択の実施形態では、第1の情報のサイズは1ビットであり、第1の情報は、次の変更期間内でマルチキャスト・トラフィック・チャネルの構成が変化するかどうかを示すために使用され、または
第1の情報のサイズは1ビットであり、第1の情報は、次の変更期間内でマルチキャスト・トラフィック・チャネルにおいて新しいサービスが始まるかどうかを示すために使用され、または
第1の情報は第3の情報および第4の情報のみを含み、第3の情報のサイズは1ビットであり、第4の情報のサイズは1ビットであり、第3の情報は、次の変更期間内でマルチキャスト・トラフィック・チャネルの構成が変化するかどうかを示すために使用され、第4の情報は、次の変更期間内でマルチキャスト・トラフィック・チャネルにおいて新しいサービスが始まるかどうかを示すために使用され、または
第1の情報のサイズは2ビットであり、第1の情報の2ビットは、次の変更期間内でマルチキャスト・トラフィック・チャネルの構成が変化するかどうか、および次の変更期間内でマルチキャスト・トラフィック・チャネルにおいて新しいサービスが始まるかどうかを一緒に示すために使用される。
【０１２３】
任意選択の実施形態では、DCIは第1のフィールドまたは第2のフィールドを含み、
DCIがマルチキャスト・トラフィック・チャネルを搬送するPDSCHをスケジューリングするために使用されるとき、DCIは第1のフィールドを含み、第2のフィールドを含まず、または
DCIがUE固有のPDSCHをスケジューリングするために使用されるとき、DCIは第2のフィールドを含み、第1のフィールドを含まず、
第1のフィールドは第1の情報を示すために使用され、第2のフィールドは第2の情報を示すために使用される。
【０１２４】
任意選択の実施形態では、第1のフィールドに含まれるビットのDCI内のビット位置は、第2のフィールドに含まれるビットのDCI内のビット位置と同じである。
【０１２５】
任意選択の実施形態では、第1の情報が第3の情報および第4の情報のみを含むとき、第1のフィールドは第3のフィールドおよび第4のフィールドを含み、第3のフィールドは第3の情報を示すために使用され、第4のフィールドは第4の情報を示すために使用される。
【０１２６】
任意選択の実施形態では、DCIは第5のフィールドを含み、
DCIがマルチキャスト・トラフィック・チャネルを搬送するPDSCHをスケジューリングするために使用されるとき、第5のフィールドは第1の情報を示すために使用され、または
DCIがUE固有のPDSCHをスケジューリングするために使用されるとき、第5のフィールドは第2の情報を示すために使用され、または
DCIがランダムアクセス応答メッセージを搬送するPDSCHをスケジューリングするために使用されるとき、第5のフィールドのビットは予約ビットである。
【０１２７】
任意選択の実施形態では、第2の情報はハイブリッド自動再送要求肯定応答リソースオフセット（HARQ-ACK resource offset）であり、または
第2の情報は新しいデータインジケータ（NDI）であり、または
第2の情報は伝送電力制御（TPC）であり、または
第2の情報はハイブリッド自動再送要求プロセス番号（HARQ process number）である。
【０１２８】
任意選択の実施形態では、第5のフィールドは第2の情報を示すために使用されるフィールドである。
【０１２９】
図7に表された実施形態におけるユーザ機器は、図8に表されたユーザ機器を使用することによって実装されてもよい。図8は、本発明の一実施形態による、ユーザ機器の概略構造図である。図8に表されたユーザ機器800は、プロセッサ801およびトランシーバ802を含む。プロセッサ801は、たとえば、バスを使用することによってトランシーバ802と通信可能に接続される。任意選択で、ユーザ機器800はメモリ803をさらに含んでもよい。実際の適用では、少なくとも1つのトランシーバ802があり、ユーザ機器800の構造は、本発明のこの実施形態に対して何も限定を構成しないことが留意されるべきである。
【０１３０】
プロセッサ801は、本発明のこの実施形態に適用され、図7に表された判断モジュール22の機能を実装するように構成される。トランシーバ802は、本発明のこの実施形態に適用され、図7に表された受信モジュール21の機能を実装するように構成される。任意選択で、トランシーバ802は受信機および送信機を含む。
【０１３１】
プロセッサ801は、CPU、汎用プロセッサ、DSP、ASIC、FPGAまたは別のプログラマブル論理デバイス、トランジスタ論理デバイス、ハードウェア構成要素、またはそれらの任意の組み合わせであり得る。プロセッサ801は、この出願に開示された内容を参照して説明された論理ブロック、モジュール、および回路の様々な例を実装または実行し得る。その代わりに、プロセッサ801は、計算機能を実装するプロセッサの組み合わせ、たとえば、1つ以上のマイクロプロセッサの組み合わせ、またはDSPとマイクロプロセッサの組み合わせであってもよい。
【０１３２】
メモリ803は、ROMまたは静的な情報および命令を記憶することができる別のタイプの静的記憶デバイス、またはRAMまたは情報および命令を記憶することができる別のタイプの動的記憶デバイスであってもよく、またはEEPROM、CD-ROMまたは他のコンパクトディスク記憶、（コンパクトディスク、レーザーディスク（登録商標）、光ディスク、デジタル多用途ディスク、ブルーレイディスク、または同様のものを含む）光ディスク記憶、ディスク記憶媒体または別の磁気記憶デバイス、または命令またはデータ構造の形式で予想されるプログラムコードを搬送または記憶するために使用されることができる任意の他のコンピュータアクセス可能媒体であってもよい。しかしながら、これはここでは限定されない。
【０１３３】
任意選択で、メモリ803は、この出願の解決策を実行するために使用されるアプリケーションプログラムコードを記憶するように構成され、プロセッサ801は実行を制御する。プロセッサ801は、図2から図4に表された任意の実施形態において提供されたユーザ機器の動作を実装するために、メモリ803に記憶されたアプリケーションプログラムコードを実行するように構成される。
【０１３４】
本発明の一実施形態は、上記のユーザ機器によって使用されるコンピュータソフトウェア命令を記憶するように構成されたコンピュータ記憶媒体をさらに提供し、コンピュータソフトウェア命令は、ユーザ機器が上記の態様を実行するために設計されたプログラムを含む。
【０１３５】
この技術分野の当業者は、実施形態における方法のプロセスのすべてまたはいくつかが、関連するハードウェアに命令するコンピュータプログラムによって実装され得ることを理解し得る。プログラムはコンピュータ読み取り可能な記憶媒体に記憶されてもよい。プログラムが動作するとき、実施形態における方法のプロセスが実行される。上記の記憶媒体は、ROM、ランダムアクセスメモリRAM、磁気ディスク、または光ディスクのような、プログラムコードを記憶することができる任意の媒体を含む。
【０１３６】
この出願は、様々な実施形態を参照して説明されているが、保護を請求するこの出願を実装するプロセスにおいて、この技術分野の当業者は、添付図面、開示された内容、および添付請求項を閲覧することによって、開示された実施形態の別の変形を理解して実装し得る。請求項では、「備える」（comprising）は別の構成要素または別のステップを排除せず、「a」または「one」は「複数」の場合を排除しない。単一のプロセッサまたは別のユニットは、請求項に列挙されたいくつかの機能を実装し得る。いくつかの手段は互いに異なる従属請求項に記録されるが、これは、より良い効果を生み出すためにこれらの手段が組み合わせられることができないことを意味しない。
【０１３７】
この出願における技術的解決策をこの技術分野の当業者がより良く理解することを可能にするために、上記は、この出願の実施形態における添付図面を参照して、この出願の実施形態における技術的解決策を記載した。この出願の明細書、請求項、および添付図面において、用語「第1」、「第2」、「第3」、「第4」、および同様のものは、異なる対象の間で区別することが意図されるが、特定の順序を示さない。加えて、用語「含む」、「有する」、またはそれらの任意の他の変形は、排他的でない包含をカバーすることが意図される。たとえば、一連のステップまたはユニットを含むプロセス、方法、システム、製品、またはデバイスは、列挙されたステップまたはユニットに限定されないが、任意選択で、列挙されていないステップまたはユニットをさらに含み、または任意選択で、プロセス、方法、製品、またはデバイスの別の本来備わっているステップまたはユニットをさらに含む。
【０１３８】
この出願の実施形態は、方法、装置（デバイス）、またはコンピュータプログラム製品として提供され得ることをこの技術分野の当業者は理解すべきである。したがって、この出願は、ハードウェアのみの実施形態、ソフトウェアのみの実施形態、またはソフトウェアとハードウェアの組み合わせを有する実施形態の形式を使用し得る。加えて、この出願は、コンピュータ使用可能プログラムコードを含む、（限定はしないが、ディスクメモリ、CD-ROM、光メモリ、または同様のものを含む）1つ以上のコンピュータ使用可能記憶媒体に実装されたコンピュータプログラム製品の形式を使用し得る。コンピュータプログラムは、適切な媒体に記憶／配分され、別のハードウェアと一緒にハードウェアの一部として提供または使用され、または、たとえば、Internetまたは別の有線またはワイヤレスの電気通信システムを使用することによって、別の配分形式も使用し得る。
【０１３９】
この出願は、この出願の実施形態における方法、装置（デバイス）、およびコンピュータプログラム製品のフローチャートおよび／またはブロック図を参照して説明されている。コンピュータプログラム命令は、フローチャートおよび／またはブロック図における各プロセスおよび／または各ブロック、およびフローチャートおよび／またはブロック図におけるプロセスおよび／またはブロックの組み合わせを実装するために使用され得ることが理解されるべきである。これらのコンピュータプログラム命令は、機械を生成するために、汎用コンピュータ、専用コンピュータ、組み込み型プロセッサ、または任意の他のプログラマブルデータ処理デバイスのプロセッサに提供されることが可能であり、それによって、コンピュータまたは任意の他のプログラマブルデータ処理デバイスのプロセッサによって実行される命令は、フローチャート内の1つ以上のプロセスにおける、および／またはブロック図内の1つ以上のブロックにおける固有の機能を実装するための装置を生成する。
【０１４０】
これらのコンピュータプログラム命令は、また、固有の方式で動作するようにコンピュータまたは任意の他のプログラマブルデータ処理デバイスに命令することができるコンピュータ読み取り可能なメモリに記憶されてもよく、それによって、コンピュータ読み取り可能なメモリに記憶された命令は、命令装置を含む人工物を生成する。命令装置は、フローチャート内の1つ以上のプロセスにおける、および／またはブロック図内の1つ以上のブロックにおける固有の機能を実装する。
【０１４１】
これらのコンピュータプログラム命令は、また、コンピュータまたは別のプログラマブルデータ処理デバイスにロードされてもよく、それによって、一連の動作およびステップは、コンピュータ実装処理を生成するために、コンピュータまたは別のプログラマブルデバイスにおいて実行される。したがって、コンピュータまたは別のプログラマブルデバイスにおいて実行される命令は、フローチャート内の1つ以上のプロセスにおける、および／またはブロック図内の1つ以上のブロックにおける固有の機能を実装するためのステップを提供する。
【０１４２】
この出願は、固有の特徴およびそれらの実施形態を参照して説明されているが、明らかに、この出願の範囲から逸脱することなく、この出願に対して様々な修正および組み合わせが行われ得る。それに対応して、明細書および添付図面は、添付請求項によって規定されるこの出願の説明の単なる例であり、この出願の範囲をカバーする修正、変形、組み合わせ、または等価物のいずれかまたはすべてと考えられる。明らかに、この技術分野の当業者は、この出願の思想および範囲から逸脱することなく、この出願に対して様々な修正および変形を行い得る。この出願は、この出願における請求項およびそれらの等価な技術の範囲内にあるという条件で、この出願のこれらの修正および変形をカバーすることが意図される。
【符号の説明】
【０１４３】
1、600  ネットワークデバイス
2、800  ユーザ機器
11  指示モジュール
12  伝送モジュール
21  受信モジュール
22  判断モジュール
601、801  プロセッサ
602、802  トランシーバ
603、803  メモリ
【手続補正２】
【補正対象書類名】特許請求の範囲
【補正対象項目名】全文
【補正方法】変更
【補正の内容】
【特許請求の範囲】
【請求項１】
ダウンリンク制御情報（DCI）伝送方法であって、
ネットワークデバイスにより、第1のDCIフォーマットでDCIを伝送するステップと、
前記DCIがマルチキャスト・トラフィック・チャネルを搬送する物理ダウンリンク共有チャネル（PDSCH）をスケジューリングするために使用されるとき、前記ネットワークデバイスにより、第1の無線ネットワーク一時識別子（RNTI）を使用することによって、前記DCIが前記マルチキャスト・トラフィック・チャネルを搬送する前記PDSCHをスケジューリングするために使用されることを示すステップであって、第1の情報が前記DCI内で示され、第2の情報が前記DCI内で示されない、ステップと、
前記DCIがユーザ機器固有（UE固有）のPDSCHをスケジューリングするために使用されるとき、前記ネットワークデバイスにより、第2のRNTIを使用することによって、前記DCIが前記UE固有のPDSCHをスケジューリングするために使用されることを示すステップであって、前記第1の情報が前記DCI内で示されず、前記第2の情報が前記DCI内で示される、ステップと、
を備える方法。
【請求項２】
前記第2の情報が新しいデータインジケータ（NDI）であり、または
前記第2の情報がハイブリッド自動再送要求（HARQ）プロセス番号である、請求項1に記載の方法。
【請求項３】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用される、請求項1または2に記載の方法。
【請求項４】
前記DCIが第1のフィールドまたは第2のフィールドを備え、前記第1のフィールドが前記第1の情報を示すために使用され、前記第2のフィールドが前記第2の情報を示すために使用され、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えない、請求項3に記載の方法。
【請求項５】
前記第1のフィールドに備えられたビットの前記DCI内のビット位置が、前記第2のフィールドに備えられたビットの前記DCI内のビット位置と同じである、請求項4に記載の方法。
【請求項６】
前記DCIが前記マルチキャスト・トラフィック・チャネルを搬送する前記PDSCHをスケジューリングするために使用されるとき、前記ネットワークデバイスにより、前記第1のRNTIを使用することによって前記DCIの巡回冗長符号（CRC）をスクランブルするステップ、または
前記DCIが前記UE固有のPDSCHをスケジューリングするために使用されるとき、前記ネットワークデバイスにより、前記第2のRNTIを使用することによって前記DCIの巡回冗長符号（CRC）をスクランブルするステップ、をさらに備える、請求項1から5のいずれか一項に記載の方法。
【請求項７】
ダウンリンク制御情報（DCI）伝送方法であって、
ユーザ機器により、第1のDCIフォーマットでDCIを受信するステップであって、
前記受信されたDCIの巡回冗長符号（CRC）が第1の無線ネットワーク一時識別子（RNTI）を使用することによってスクランブルされているとき、前記DCIがマルチキャスト・トラフィック・チャネルを搬送する物理ダウンリンク共有チャネル（PDSCH）をスケジューリングするために使用され、第1の情報が前記DCI内で示され、第2の情報が前記DCI内で示されず、
前記受信されたDCIの前記CRCが第2のRNTIを使用することによってスクランブルされているとき、前記DCIがユーザ機器固有（UE固有）のPDSCHをスケジューリングするために使用され、前記第1の情報が前記DCI内で示されず、前記第2の情報が前記DCI内で示される、ステップを備える方法。
【請求項８】
前記第2の情報が新しいデータインジケータ（NDI）であり、または
前記第2の情報がハイブリッド自動再送要求（HARQ）プロセス番号である、請求項7に記載の方法。
【請求項９】
前記第1の情報のサイズが1ビットであり、前記第1の情報が、次の変更期間内で前記マルチキャスト・トラフィック・チャネルの構成が変化するかどうかを示すために使用され、または
前記第1の情報のサイズが1ビットであり、前記第1の情報が、次の変更期間内で前記マルチキャスト・トラフィック・チャネルにおいて新しいサービスが始まるかどうかを示すために使用される、請求項7または8に記載の方法。
【請求項１０】
前記DCIが第1のフィールドまたは第2のフィールドを備え、前記第1のフィールドが前記第1の情報を示すために使用され、前記第2のフィールドが前記第2の情報を示すために使用され、
前記DCIがマルチキャスト・トラフィック・チャネルを搬送するPDSCHをスケジューリングするために使用されるとき、前記DCIが前記第1のフィールドを備え、前記第2のフィールドを備えず、または
前記DCIがUE固有のPDSCHをスケジューリングするために使用されるとき、前記DCIが前記第2のフィールドを備え、前記第1のフィールドを備えない、請求項9に記載の方法。
【請求項１１】
前記第1のフィールドに備えられたビットの前記DCI内のビット位置が、前記第2のフィールドに備えられたビットの前記DCI内のビット位置と同じである、請求項10に記載の方法。
【請求項１２】
通信装置であって、
プログラム命令を記憶するメモリと、
前記メモリに結合されたプロセッサであって、前記プログラム命令が、前記プロセッサによって実行されるとき、請求項1から6のいずれか一項に記載の方法を前記装置に実行させる、プロセッサと、
を備える通信装置。
【請求項１３】
通信装置であって、
プログラム命令を記憶するメモリと、
前記メモリに結合されたプロセッサであって、前記プログラム命令が、前記プロセッサによって実行されるとき、請求項7から11のいずれか一項に記載の方法を前記装置に実行させる、プロセッサと、
を備える通信装置。
【請求項１４】
命令を備えるコンピュータ読み取り可能な記憶媒体であって、前記命令が実行されるとき、請求項1から6のいずれか一項に記載の方法のステップが実行される、コンピュータ読み取り可能な記憶媒体。
【請求項１５】
命令を備えるコンピュータ読み取り可能な記憶媒体であって、前記命令が実行されるとき、請求項7から11のいずれか一項に記載の方法のステップが実行される、コンピュータ読み取り可能な記憶媒体。
【国際調査報告】
2020504578.tif 000013
2020504578.tif 000014
2020504578.tif 000015
2020504578.tif 000016